(57)【要約】【課題】大量に出版される電子計算機用の可搬型メディアをネットワークと連携させて利用する際に、利用者ごとのカスタマイズが自動的に行なわれるようにすることを目的とする。【解決手段】可搬型メディアと利用者との対応関係を管理する情報を、事前に可搬型メディアに設定するメディア活用情報１００のうち、メディア毎に異なるメディア識別情報１０１で代用し、利用者の管理に用いることで、利用者登録などの手間を省いた上で利用者ごとのカスタマイズを図る。【選択図】図１
2006172447.tif 000002
【特許請求の範囲】
【請求項１】
コンテンツが記録される記録媒体を駆動させる再生装置と、
前記コンテンツを前記再生装置で表示するときの前記コンテンツに関する情報の表示対象と前記表示対象を表示する方法とに関する情報を、前記再生装置に送信する情報送信装置と、
からなり、
前記再生装置は、
前記記録媒体を識別する第１の識別子を抽出するメディア駆動手段と、
前記第１の識別子を前記情報送信装置に送信する第１の情報送受信手段と、を有し、
前記情報送信装置は、
前記第１の識別子を受信する第２の情報送受信手段と、
前記第１の識別子と対応する、前記記録媒体を利用するユーザに関するユーザ情報を抽出する制御手段と、
前記ユーザ情報に応じて、前記コンテンツに関する情報の表示対象と前記表示対象を表示する方法とに関する情報を生成する表示対象・表示方法情報生成手段と、を有し、
前記第２の情報送受信手段は、
前記コンテンツに関する情報の表示対象と前記表示対象を表示する方法とに関する情報を、前記再生装置に送信する、記録媒体とネットワークとの連携装置。
【請求項２】
コンテンツが記録される記録媒体を駆動させる再生装置と、
前記コンテンツを前記再生装置で表示するときの前記コンテンツに関する情報の表示対象と前記表示対象を表示する方法とに関する情報を、前記再生装置に送信する情報送信装置と、
からなり、
前記再生装置は、
前記記録媒体を識別する第２の識別子を抽出するメディア駆動手段と、
前記第２の識別子を前記情報送信装置に送信する第１の情報送受信手段と、を有し、
前記情報送信装置は、
前記第２の識別子を受信する第２の情報送受信手段と、
前記第２の識別子と対応する、前記記録媒体を利用するユーザに関するユーザ情報を抽出する制御手段と、
前記第２の識別子と前記ユーザ情報に基づく、前記コンテンツの詳細情報との対応を記憶する情報記憶手段と、
前記第２の識別子に応じて前記コンテンツの詳細情報を表示する方法に関する情報を生成する表示対象・表示方法情報生成手段と、を有し、
前記第２の情報送受信手段によって、前記コンテンツの前記詳細情報を表示する方法に関する情報を、再生装置に送信する、前記記録媒体とネットワークとの連携装置。
【請求項３】
コンテンツが記録される記録媒体を駆動させる再生装置と、
前記コンテンツを前記再生装置で表示するときの前記コンテンツに関する情報の表示対象と前記表示対象を表示する方法とに関する情報を、前記再生装置に送信する情報送信装置と、
からなり、
前記情報送信装置は、
前記記憶媒体が有するデータであるコンテンツに付随する付随データに適合する、前記コンテンツに関する情報の表示対象と前記表示対象を表示する方法とに関する情報を記憶する情報記憶手段と、
前記コンテンツに関する情報の表示対象と前記表示対象を表示する方法とに関する情報を、前記再生装置に送信する前記第２の情報送受信手段と、
を有し、
前記再生装置は、
前記付随データを抽出するメディア駆動手段と、
前記コンテンツに関する情報の表示対象と前記表示対象を表示する方法とに関する情報を、受信する前記第１の情報送受信手段と、
を有する、
記録媒体とネットワークとの連携装置。
【請求項４】
コンテンツに関する情報の表示対象と前記表示対象を表示する方法とに関する表示情報を生成する情報送信装置から送信される前記表示情報を処理する再生装置であって、
前記再生装置で生成される第１の識別子を受信する第２の情報送受信手段と、前記第１の識別子と対応する、前記記録媒体を利用するユーザに関するユーザ情報を抽出する制御手段と、前記ユーザ情報に応じて、前記コンテンツに関する情報の表示対象と前記表示対象を表示する方法とに関する情報を生成する表示対象・表示方法情報生成手段と、を有する、前記情報送信装置に対して、送信する前記第１の識別子を抽出するメディア駆動手段と、
前記第１の識別子を送信する第１の情報送受信手段と、を備え、
前記第１の情報送受信手段は、前記表示情報を受信する、再生装置。
【請求項５】
コンテンツに関する情報の表示対象と前記表示対象を表示する方法とに関する表示情報を生成する情報送信装置から送信される前記表示情報を処理する再生装置であって、
前記再生装置で生成される第２の識別子を受信する第２の情報送受信手段と、前記第２の識別子と対応する、前記記録媒体を利用するユーザに関するユーザ情報を抽出する制御手段と、前記第２の識別子と前記ユーザ情報に基づく前記コンテンツの詳細情報との対応を記憶する情報記憶手段と、前記第２の識別子に応じて前記コンテンツの詳細情報を表示する方法に関する情報を生成する表示対象・表示方法情報生成手段と、を有する、前記情報送信装置に対して、送信する前記第２の識別子を抽出するメディア駆動手段と、
前記第２の識別子を送信する第１の情報送受信手段と、を備え、
前記第１の情報送受信手段は、前記表示情報を受信する、再生装置。
【請求項６】
コンテンツに関する情報の表示対象と前記表示対象を表示する方法とに関する表示情報を生成する情報送信装置から送信される前記表示情報を処理する再生装置であって、
前記記憶媒体が有するデータであるコンテンツに付随する付随データに適合する、前記コンテンツに関する情報の表示対象と前記表示対象を表示する方法とに関する情報を記憶する情報記憶手段と、前記コンテンツに関する情報の表示対象と前記表示対象を表示する方法とに関する情報を、前記再生装置に送信する前記第２の情報送受信手段と、を有する、前記情報送信装置に対して、送信する前記付随データを抽出するメディア駆動手段と、
前記コンテンツに関する情報の表示対象と前記表示対象を表示する方法とに関する情報を、受信する前記第１の情報送受信手段と、
を備える、
再生装置。
【発明の詳細な説明】
【技術分野】
【０００１】
本発明は、大量に出版される電子計算機用の可搬型メディア内に記録されている情報を元にネットワーク上の情報を検索したり、また、ネットワーク上のアプリケーションからの指示によりメディア１枚毎の利用方法を変化させたりといった、可搬型メディアとネットワークを連携させたサービスの提供法に関する。
【背景技術】
【０００２】
従来、電子計算機用の可搬型メディアとしてはフロッピー（登録商標）ディスクやＣＤ−ＲＯＭ、ＰＤなどが利用されてきており、ネットワーク上のアプリケーションと連動する例として、ＣＤ−ＲＯＭに商品のカタログを入れてショッピングを行なうシステムや、ＣＤ−ＲＯＭ内のアプリケーションを起動中に、それに関連する情報を持っているインターネットホームページへアクセスし表示させるといったものがある。
【０００３】
まず、カタログショッピングに関する例について述べる。カタログショッピングを行なう場合には、利用者は、書店で購入したり、あるいは通信販売業者から直接配布してもらったりといった方法でＣＤ−ＲＯＭを入手する。このように入手したＣＤ−ＲＯＭを手元のパーソナルコンピュータのＣＤ−ＲＯＭドライブに入れ、カタログの内容を表示させ、気に入った商品があれば、パーソナルコンピュータの通信機能を起動し、通信販売業者へ商品購入の意志を伝え、後日商品を入手する。このとき、パーソナルコンピュータの通信機能はカタログブラウザが自動的に起動するものもある。また、商品の対価は、クレジットカードの番号を事前に伝えておき、それを利用したり、あるいはその場でクレジットカード番号を送信したり、後日、銀行振り込みなどで支払うことになる。
【０００４】
次に、ＣＤ−ＲＯＭ内のアプリケーションからインターネットホームページへアクセスする例について述べる。これについては、「日経マルチメディア  １９９５年１２月号」の８６ページから８９ページに同様の例が示されている。この例では、ＣＤ−ＲＯＭ内のアプリケーションとして、前記の例と同様、カタログである。ＣＤ−ＲＯＭによるカタログは年に数回しか配布されないため、価格や仕様の変更、新製品の追加などがあっても反映されるまでには時間がかかる。従って、インターネットホームページによってＣＤ−ＲＯＭ内の情報を補うという構成を設けることによって、いつでも新しい情報の掲載されたカタログを利用できるという効果がある。
【非特許文献１】「日経マルチメディア」１９９５年１２月号,ｐ．８６−８９
【発明の開示】
【発明が解決しようとする課題】
【０００５】
しかし、上記従来の技術においては、ＣＤ−ＲＯＭはすべての利用者に対して同じものが配布されるために、利用者の過去の利用履歴をアプリケーションの動作に対して反映させるためには、サービス提供側でＣＤ−ＲＯＭの配布後にあらためて利用者に番号付けを行ない、管理を行なう必要があり、利用者はこの番号を手元のパーソナルコンピュータに記憶させるか、あるいは毎回入力するかして自身の利用者番号をアプリケーションに伝える必要がある。ここで、過去の利用履歴をアプリケーションの動作に対して反映させるとは、過去の購買内容リストを表示するといった直接的な使いかたもあれば、過去の購買内容から利用者の嗜好を判断し、カタログの見せ方を変化させるといった間接的な使いかたもある。
【０００６】
また、ＣＤ−ＲＯＭ内の情報を補うという目的ではなく、単に関連情報へアクセスしたいという要求でインターネットホームページにアクセスする場合にも、従来の技術ではＣＤ−ＲＯＭ内に記憶された固定的なホームページにアクセスできるのみであり、ホームページのアドレスが変更になったり、あるいは新たなホームページが開設された場合などに対応するには次回のＣＤ−ＲＯＭの配布まで待つか、利用者自身がメンテナンスして手元のパーソナルコンピュータに記憶させるといったことが必要となる。
【０００７】
上記課題に鑑み、本発明の目的は、可搬型メディアと利用者との対応関係を管理するための情報を、事前に可搬型メディアに設定するメディア活用情報で代用できるようにすることで、大量に出版される電子計算機用の可搬型メディアをネットワークと連携させて利用する場合に利用者に特別の作業を強いることなく利用者ごとのカスタマイズが自動的に行なわれるようなサービスを提供することである。
【課題を解決するための手段】
【０００８】
本発明は、コンテンツが記録される記録媒体を駆動させる再生装置と、前記コンテンツを前記再生装置で表示するときの前記コンテンツに関する情報の表示対象と前記表示対象を表示する方法とに関する情報を、前記再生装置に送信する情報送信装置と、からなり、前記再生装置は、前記記録媒体を識別する第１の識別子を抽出するメディア駆動手段と、前記第１の識別子を前記情報送信装置に送信する第１の情報送受信手段と、を有し、前記情報送信装置は、前記第１の識別子を受信する第２の情報送受信手段と、前記第１の識別子と対応する、前記記録媒体を利用するユーザに関するユーザ情報を抽出する制御手段と、前記ユーザ情報に応じて、前記コンテンツに関する情報の表示対象と前記表示対象を表示する方法とに関する情報を生成する表示対象・表示方法情報生成手段と、を有し、前記第２の情報送受信手段は、前記コンテンツに関する情報の表示対象と前記表示対象を表示する方法とに関する情報を、前記再生装置に送信する、記録媒体とネットワークとの連携装置である。
【０００９】
また、本発明は、コンテンツが記録される記録媒体を駆動させる再生装置と、前記コンテンツを前記再生装置で表示するときの前記コンテンツに関する情報の表示対象と前記表示対象を表示する方法とに関する情報を、前記再生装置に送信する情報送信装置と、からなり、前記再生装置は、前記記録媒体を識別する第２の識別子を抽出するメディア駆動手段と、前記第２の識別子を前記情報送信装置に送信する第１の情報送受信手段と、を有し、前記情報送信装置は、前記第２の識別子を受信する第２の情報送受信手段と、前記第２の識別子と対応する、前記記録媒体を利用するユーザに関するユーザ情報を抽出する制御手段と、前記第２の識別子と前記ユーザ情報に基づく、前記コンテンツの詳細情報との対応を記憶する情報記憶手段と、前記第２の識別子に応じて前記コンテンツの詳細情報を表示する方法に関する情報を生成する表示対象・表示方法情報生成手段と、を有し、前記第２の情報送受信手段によって、前記コンテンツの前記詳細情報を表示する方法に関する情報を、再生装置に送信する、前記記録媒体とネットワークとの連携装置である。
【００１０】
また、本発明は、コンテンツが記録される記録媒体を駆動させる再生装置と、前記コンテンツを前記再生装置で表示するときの前記コンテンツに関する情報の表示対象と前記表示対象を表示する方法とに関する情報を、前記再生装置に送信する情報送信装置と、からなり、前記情報送信装置は、前記記憶媒体が有するデータであるコンテンツに付随する付随データに適合する、前記コンテンツに関する情報の表示対象と前記表示対象を表示する方法とに関する情報を記憶する情報記憶手段と、前記コンテンツに関する情報の表示対象と前記表示対象を表示する方法とに関する情報を、前記再生装置に送信する前記第２の情報送受信手段と、を有し、前記再生装置は、前記付随データを抽出するメディア駆動手段と、前記コンテンツに関する情報の表示対象と前記表示対象を表示する方法とに関する情報を、受信する前記第１の情報送受信手段と、を有する、記録媒体とネットワークとの連携装置である。
【００１１】
また、本発明は、コンテンツに関する情報の表示対象と前記表示対象を表示する方法とに関する表示情報を生成する情報送信装置から送信される前記表示情報を処理する再生装置であって、前記再生装置で生成される第１の識別子を受信する第２の情報送受信手段と、前記第１の識別子と対応する、前記記録媒体を利用するユーザに関するユーザ情報を抽出する制御手段と、前記ユーザ情報に応じて、前記コンテンツに関する情報の表示対象と前記表示対象を表示する方法とに関する情報を生成する表示対象・表示方法情報生成手段と、を有する、前記情報送信装置に対して、送信する前記第１の識別子を抽出するメディア駆動手段と、前記第１の識別子を送信する第１の情報送受信手段と、を備え、前記第１の情報送受信手段は、前記表示情報を受信する、再生装置である。
【００１２】
また、本発明は、コンテンツに関する情報の表示対象と前記表示対象を表示する方法とに関する表示情報を生成する情報送信装置から送信される前記表示情報を処理する再生装置であって、前記再生装置で生成される第２の識別子を受信する第２の情報送受信手段と、前記第２の識別子と対応する、前記記録媒体を利用するユーザに関するユーザ情報を抽出する制御手段と、前記第２の識別子と前記ユーザ情報に基づく前記コンテンツの詳細情報との対応を記憶する情報記憶手段と、前記第２の識別子に応じて前記コンテンツの詳細情報を表示する方法に関する情報を生成する表示対象・表示方法情報生成手段と、を有する、前記情報送信装置に対して、送信する前記第２の識別子を抽出するメディア駆動手段と、前記第２の識別子を送信する第１の情報送受信手段と、を備え、前記第１の情報送受信手段は、前記表示情報を受信する、再生装置である。
【００１３】
また、本発明は、コンテンツに関する情報の表示対象と前記表示対象を表示する方法とに関する表示情報を生成する情報送信装置から送信される前記表示情報を処理する再生装置であって、前記記憶媒体が有するデータであるコンテンツに付随する付随データに適合する、前記コンテンツに関する情報の表示対象と前記表示対象を表示する方法とに関する情報を記憶する情報記憶手段と、前記コンテンツに関する情報の表示対象と前記表示対象を表示する方法とに関する情報を、前記再生装置に送信する前記第２の情報送受信手段と、を有する、前記情報送信装置に対して、送信する前記付随データを抽出するメディア駆動手段と、前記コンテンツに関する情報の表示対象と前記表示対象を表示する方法とに関する情報を、受信する前記第１の情報送受信手段と、を備える、再生装置である。
【発明の効果】
【００１４】
以上述べたように、大量に作成され、配布される可搬型のメディア１枚１枚に対して、当該メディアにそれぞれ固有なメディア活用情報を設け、その一部を利用者のネットワークアプリケーション利用履歴管理に転用することで、メディアの配布後に利用者番号をあらためて設ける手間をかけずに、個別の利用者それぞれに対するサービスの内容を向上させることができる、という効果を奏する。
【００１５】
また、汎用の検索サービスが設けられている場合には、メディア活用情報としてそのサービスの提供先を記憶させるとともに、メディア内の情報に付随させたキーワードと利用者の居住地域に関する情報をサービスに使用することで、汎用であって広域に渡って配布される可搬型メディアを使用しながらも、生活に密着した情報を得ることができるようになり、情報提供を行なうサーバの新規作成・削除・変更等にともなうメンテナンスを利用者が行う必要がない、という効果を奏する。
【００１６】
さらに、メディア活用情報の中に秘密の関数を用いて生成する値によるチェック値を記録することにより、メディアの不正コピーの検知にも利用できる。メディアが書き込み可能型となった場合には、メディア自身の他者による不正な使用の検知も可能になる、という効果を奏する。
【発明を実施するための最良の形態】
【００１７】
以下、本発明の実施の形態について、図１から図２３を用いて説明する。
【００１８】
図１はメディア活用情報の基本的な構成を示す図である。１００はメディア活用情報、１０１はメディア活用情報１００のうちメディア識別情報を示す。
【００１９】
図２はメディア活用情報に記録されうる情報をすべて持つ、メディア活用情報の最大の構成の例を示す図である。２００はメディア活用情報、２０１はメディア活用情報２００のうちメディア識別情報、２０２はメディア識別情報２０１のうちメディアのタイトルや発行者、発行年、内容などを一意に特定できるタイトル情報、２０３はメディア識別情報２０１のうちタイトル情報２０２ごとに付与できる発行番号情報、２０４はメディア活用情報２００のうちネットワーク上のサービスを使用する場合に用いるネットワークアドレス情報、２０５はメディア活用情報２００のうちメディアの主たる利用者の性別・年齢・居住地域などの利用者に関する利用者情報、２０６はメディア活用情報２００のうち情報提供者の住所・電話番号・ファックス番号などの連絡先を示す情報提供者連絡先情報、２０７はメディア活用情報２００のうちメディア識別情報２０１のみ、あるいはメディア識別情報２０１、ネットワークアドレス情報２０４、利用者情報２０５、情報提供者連絡先情報２０６の四つから計算される正当性検査値を格納するチェック領域である。
【００２０】
なお、図２において示すそれぞれの情報の領域区分は論理的な区分であり、物理的な区分ではない。
【００２１】
以下、図２に示されるメディア活用情報２００のうちのいくつか、あるいは全部を用いて提供可能なサービスの概要とその実現方式について、５つの実施の形態について説明する。
【００２２】
（実施の形態１）
図３は本発明の第１の実施の形態による、可搬型メディアとしてレストランガイドを用いた情報提供システムの構成を示す図である。ここでは可搬型メディアとしては読み出し専用型デジタルビデオディスク（以下ＤＶＤと略す）を用い、可搬型メディアのメディア活用情報は、ＤＶＤ内の本来の記録領域とは異なる、ＤＶＤ上の専用の箇所に記録する。この専用の箇所のことをメディア活用情報記録領域と今後称する。
【００２３】
３００はレストランガイドＤＶＤであって、様々なジャンルにわたるレストランの価格、内容といった情報を含み、３０１はＤＶＤ上のメディア活用情報記録領域である。３１０はレストランガイド利用者の手元の電子計算機であるレストランガイドクライアント、３１１は前記レストランガイドクライアント３１０の動作全体を制御する中央制御手段、３１２は前記レストランガイドクライアント３１０のネットワークに対する情報の送受信を行なう情報送受信手段、３１３は前記レストランガイドＤＶＤ３００を駆動するＤＶＤ駆動手段、３１４は前記レストランガイドクライアント３１０に対して利用者が入力を行なうキーボードやマウス、音声認識装置、タブレット、ペンなどの入力手段、３１６は利用者に対して前記レストランガイドクライアント３１０が表示を行なうためのディスプレイなどの情報表示手段である。
【００２４】
３２０はレストランガイドサービスを提供するレストランガイドサーバ、３２１は前記レストランガイドサーバ３２０の動作全体を制御する中央制御手段、３２２は前記レストランガイドサーバ３２０のネットワークに対する情報の送受信を行なう情報送受信手段、３２３は前記レストランガイドサーバ３２０の中央制御手段３２１が必要な情報を記憶しておく情報記憶手段、３２４はレストランガイドＤＶＤ３００の中に記録されている情報のうち、どこをどのように表示するかを規定する表示対象表示方法情報を生成する表示対象表示方法情報生成手段、３２５はレストランガイドＤＶＤ３００には不足した情報やレストランガイドＤＶＤ３００に加えて特にレストランガイドサーバ３２０から伝えたい情報であるメディア関連情報を生成するメディア関連情報生成手段である。３３０は前記レストランガイドクライアント３１０と前記レストランガイドサーバ３２０との間を繋ぐネットワークである。
【００２５】
図４は本発明の第１の実施の形態にかかわるメディア活用情報の構成例である。４００はメディア活用情報、４０１はメディア活用情報４００のうちこのＤＶＤのタイトルや発行年、内容などを一意に特定可能な、書籍で使われているＩＳＢＮ番号に相当するＤＶＤ識別情報であり、ＤＶＤ配布時には既に図３のメディア活用情報記録領域３０１に記録済みである。
【００２６】
図５は本発明の第１の実施の形態の処理の流れを示すフローチャートである。
【００２７】
以下、図３から図５を用いて本発明の第１の実施の形態の動作を説明する。
【００２８】
利用者は書店や通信販売で購入、あるいはレストランガイドサービス提供者から配布してもらうことによりレストランガイドＤＶＤ３００を入手する。
【００２９】
以降、利用者がレストランガイドサービスを受ける場合について、図５のフローチャートに沿って説明する。なお、図５においては角の丸い長方形で囲われた部分はフローチャートの開始・終了を示し、菱形で囲われた部分は判断を示し、長方形で囲われた部分は処理を示し、矢印は処理の流れを示している。
【００３０】
まず、利用者は、レストランガイドＤＶＤ３００をレストランガイドクライアント３１０のＤＶＤ駆動手段３１３にセットし、入力手段３１４を用いて、レストランガイドサービスの開始をレストランガイドクライアント３１０の中央制御手段３１１に指示する。これにより、開始５００に示すように、レストランガイドサービスが開始される。ここで、利用者が入力手段３１４を用いてレストランガイドサーバ３２０のネットワークアドレスを入力し、ステップ５０１に進む。あるいはレストランガイドＤＶＤ３００がＤＶＤ駆動手段３１３にセットされると必ずレストランガイドサーバ３２０と接続するようにシステム設計されている場合はネットワークアドレスの入力なしで、ステップ５０１に進むことができる。
【００３１】
次にステップ５０１に示すように、レストランガイドクライアント３１０の中央制御手段３１１はネットワーク３３０を介してレストランガイドサーバ３２０と接続し、その際、レストランガイドＤＶＤ３００の持つＤＶＤ識別情報４０１を情報送受信手段３１２を用いてレストランガイドサーバ３２０に送信し、ステップ５０２に進む。
【００３２】
次にステップ５０２に示すように、レストランガイドサーバ３２０の中央制御手段３２１は、情報送受信手段３２２を用いてＤＶＤ識別情報４０１を受信し、その識別情報をもとに情報記憶手段３２３に記憶されている情報からタイトル情報や出版年度などを得、判断５０３へ進む。
【００３３】
次に判断５０３に示すように、レストランガイドの出版元が特定のレストランから広告費をもらっている場合には、それを推奨するといったサービスなどがあり、レストランガイドサーバ３２０の中央制御手段３２１が受信されたＤＶＤ識別情報４０１から得られるタイトル情報により認識できる現在処理対象中のタイトルについて、情報記憶手段３２３に記憶されている情報のひとつである推奨情報をもとに、優先して紹介すべきレストランがあるかを調べる。ある場合には、ステップ５０４に示すように、レストランガイドサーバ３２０の中央制御手段３２１はどのレストランの紹介をどの順序で行うべきかについて必要となる表示の内容や強調すべき箇所などの表示対象と表示方法を規定した表示対象表示方法情報を表示対象表示方法情報生成手段３２４により作成する。また、ない場合には、ステップ５０５に示すように優先順序なしでＤＶＤの内容を表示することを決定し、その表示に必要となる表示対象表示方法情報を表示対象表示方法情報生成手段３２４により作成する。
【００３４】
次に判断５０６に示すように、受信されたＤＶＤ識別情報４０１から得られるタイトル情報とその出版年度をもとに、レストランガイドサーバ３２０の中央制御手段３２１は現在処理対象中のタイトルが古い版のものか新しい版のものかを調べる。古い版の場合には、ステップ５０７に示すように第２の情報記憶手段により記憶されている情報をもとに最新版のタイトルの価格や概要などを含んだ関連情報をメディア関連情報としてメディア関連情報生成手段３２５により生成し、ステップ５０８に進む。また、新しい版の場合には、新しいタイトルに関する情報としてのメディア関連情報は必要とされないため、そのままステップ５０８に進む。そのほかのメディア関連情報として、ステップ５０８に示すように、他のジャンルのレストランガイドの紹介情報をメディア関連情報として、さらに生成する。
【００３５】
次にステップ５０９に示すように、レストランガイドサーバ３２０の中央制御手段３２１は情報送受信手段３２２を用いて、レストランガイドサーバ３２０からレストランガイドクライアント３１０へ、ステップ５０４または５０５で生成した表示対象表示方法情報と、ステップ５０７と５０８、またはステップ５０８で生成したメディア関連情報とを送信し、レストランガイドクライアント３１０の中央制御手段３１１は情報送受信手段３１２を用いて送信されてきた表示対象表示方法情報とメディア関連情報とを受信する。
【００３６】
次にステップ５１０に示すように、レストランガイドクライアント３１０の中央制御手段３１１の制御のもとに、受信されたメディア関連情報とレストランガイドＤＶＤ３００の内容とを情報表示手段３１６により表示する。このとき、レストランガイドＤＶＤ３００の内容に関しては、受信された表示対象表示方法情報に基づいて表示される。
【００３７】
以上の処理が終わったあと、終了５１１へ進み、レストランガイドクライアント３１０はレストランガイドサーバ３２０とのネットワーク接続を切断し、レストランガイドサービスは終了する。
【００３８】
なお、本実施の形態においては可搬型メディアとしてＤＶＤ、メディア活用情報の記録領域としてＤＶＤ上のメディア活用情報記録領域を用いたが、可搬型メディアとしてフロッピー（登録商標）ディスクやＣＤ−ＲＯＭなどの他のメディアや、書換え可能型のＤＶＤを用い、メディア活用情報の記録領域については、メディア本体の記録領域を用いることも可能である。また、ネットワークとしてはＬＡＮ（ローカルエリアネットワーク）・ＷＡＮ（ワイドエリアネットワーク）・インターネット・衛星網などを用いて実装することが可能である。
【００３９】
また、本実施の形態においては情報送受信手段３１２で受信した表示対象表示方法情報とメディア関連情報を用いて、レストランガイドクライアント３１０の中央制御手段３１１の制御のもとに、ＤＶＤの内容およびメディア関連情報を情報表示手段３１６により表示したが、レストランガイドクライアント３１０に情報記憶手段を設け、受信したこれらの情報をいったんその情報記憶手段により記憶し、その後に表示するというやり方も当然考えられる。
【００４０】
また、本実施の形態においては情報表示手段３１６として、レストランガイドクライアント３１０が表示を行うためのディスプレイなどとしたが、実際にはこれに限ったものでなく、例えばプリンタで印刷したり、任意の記憶媒体にダウンロードするといった方法も考えられる。
【００４１】
以上のように、本実施の形態では、
個々のメディア（ここではＤＶＤ）を識別することのできる識別情報を含むメディア活用情報３０１に基づいて、１）表示対象表示方法情報生成手段３２４がそのメディアに対応した表示の仕方を規定する表示対象表示方法情報（例えばスクリプト等）を生成し、また、２）メディア関連情報生成手段３２５がそのメディアに関連するメディア関連情報を生成し、前記表示対象表示方法情報と前記メディア関連情報を用いて前記メディアの情報を提供することにより、
各メディア特有の形態で情報の提供が可能、つまり今日の消費者の要求形態の細分化時代に大いに反映した情報提供が可能となり、その実用的効果は大きい。
【００４２】
（実施の形態２）
図６は本発明の第２の実施の形態による、可搬型メディアとして電子教科書を用いた通信教育システムの構成を示す図である。ここでも可搬型メディアとしてはデジタルビデオディスク（以下ＤＶＤと略す）を用いるが、第１の実施の形態と同様に読み出し専用型とする。可搬型メディアのメディア活用情報は、ＤＶＤ内の本来の記録領域とは異なる、ＤＶＤ上の専用の箇所に記録する。この専用の箇所のことをメディア活用情報記録領域と今後称する。
【００４３】
６００は電子教科書ＤＶＤであって、その教科に関する参考資料や辞書データ、暗号化された試験問題を含み、６０１はＤＶＤ上のメディア活用情報記録領域である。６１０は通信教育受講者の手元の電子計算機である通信教育クライアント、６１１は前記通信教育クライアント６１０の動作全体を制御する中央制御手段、６１２は前記通信教育クライアント６１０のネットワークに対する情報の送受信を行なう情報送受信手段、６１３は前記電子教科書ＤＶＤ６００を駆動する前記通信教育クライアント６１０のＤＶＤ駆動手段、６１４は前記通信教育クライアント６１０に対して通信教育受講者が入力を行なうキーボードやマウス、音声認識装置、タブレット、ペンなどの入力手段、６１５は前記通信教育クライアント６１０の中央制御手段６１１が必要な情報を記憶しておく情報記憶手段、６１６は通信教育受講者に対して前記通信教育クライアント６１０が表示を行なうためのディスプレイなどの情報表示手段である。
【００４４】
６２０は通信教育サービスを提供する通信教育サーバ、６２１は前記通信教育サーバ６２０の動作全体を制御する中央制御手段、６２２は前記通信教育サーバ６２０のネットワークに対する情報の送受信を行なう情報送受信手段、６２３は前記通信教育サーバ６２０の中央制御手段６２１が必要な情報を記憶しておく情報記憶手段、６２４は電子教科書ＤＶＤ６００の中に記録されている情報のうち、どこをどのように表示するかを規定する表示対象表示方法情報、例えばスクリプトを生成する表示対象表示方法情報生成手段、６２６は電子教科書ＤＶＤ６００が正当なものかどうかを判断する正当性検査手段である。６３０は前記通信教育クライアント６１０と前記通信教育サーバ６２０との間を繋ぐネットワークである。
【００４５】
図７は本発明の第２の実施の形態に係わるメディア活用情報の構成例である。７００はメディア活用情報、７０１はこのＤＶＤのタイトルや発行者、発行年、内容などを一意に特定可能な、書籍で使われているＩＳＢＮ番号に相当するタイトル情報、７０２はタイトル情報７０１に応じて設定されるＤＶＤ１枚ごとの通し番号である発行番号情報、７０３はタイトル情報７０１と発行番号情報７０２とをまとめたＤＶＤ識別情報、７０４は通信教育サーバ６２０のネットワークアドレスを抽出可能な通信教育サーバネットワークアドレス、７０７は通信教育サーバ６２０側で用意したＤＶＤの正当性を検査するために用いる値を生成する手段、例えば一方向性関数を用いて、メディア活用情報７００の一部、ここではＤＶＤ識別情報７０３より計算された正当性検査値である。これらのメディア活用情報は、ＤＶＤ配布時には既に図６のメディア活用情報記録領域６０１に記録済みである。
【００４６】
図８は本発明の第２の実施の形態の処理の流れを示すフローチャートである。
【００４７】
図９は図６の通信教育サーバ６２０の記憶しているＤＶＤ識別番号と通信教育サービス受講者の利用履歴としての進捗度とを対応付ける情報を表形式で示したものであり、通信教育サーバ６２０の情報記憶手段６２３に記憶されている。タイトル情報が同じものは同じ内容のＤＶＤであることを示し、同一のタイトルの中でも発行番号が異なるものは異なるＤＶＤであることを示している。進捗度を示す情報は、図９においては、セミコロン（；）の手前をどこまで学習を進めたかの情報、うしろをそれまでにかかった時間で表現している。
【００４８】
図１０は、図９の第１行で示したＤＶＤ利用履歴（タイトル情報が４−０１２３４５６、発行番号情報がＡ０００００００１）に対応するＤＶＤに対して通信教育サーバ６２０が生成する学習スクリプトの例である。
【００４９】
図１１は本発明の第１の実施の形態を拡張する場合のメディア活用情報の構成例である。７０６はこの電子教科書ＤＶＤ６００に関する質問等を行なう相手の電子メールアドレスを導くことの可能な担当者メールアドレスである。７００、７０１、７０２、７０３、７０４、７０７は図７で説明したものと同じであるので説明を省略する。
【００５０】
以下、図６から図１１を用いて本発明の第２の実施の形態の動作を説明する。
【００５１】
利用者は書店や通信販売で購入、あるいは通信教育サービス提供者から配布された電子教科書ＤＶＤ６００を通信教育クライアント６１０の情報表示手段６１６を用いて表示させる。購入直後等で通信教育サービスの受講を承諾していない利用者や、通信教育サービスを受講しない利用者については、電子教科書ＤＶＤ６００をブラウザに従って表示させ、独自に学習を進める。この場合には、従来のＣＤ−ＲＯＭによる電子ブックのようなブラウザと同様に、利用者の主体的な意志によって電子教科書ＤＶＤ６００の内容を表示させる。
【００５２】
次に通信教育サービスを受講している通信教育受講者の場合について、図８のフローチャートに沿って説明する。図８においては角の丸い長方形で囲われた部分はフローチャートの開始・終了を示し、菱形で囲われた部分は判断を示し、長方形で囲われた部分は処理を示し、矢印は処理の流れを示している。
【００５３】
まず、通信教育受講者は、電子教科書ＤＶＤ６００を通信教育クライアント６１０のＤＶＤ駆動手段６１３にセットし、入力手段６１４を用いて、通信教育開始を中央制御手段６１１に指示する。これにより、開始８００に示すように、通信教育サービス受講が開始される。
【００５４】
次に、判断８０１に示すように、通信教育クライアント６１０の中央制御手段６１１は通信教育サーバネットワークアドレス７０４がメディア活用情報７００に記録されているかどうかを判断し、記録されていればステップ８０３に進み、記録されていなければ、ステップ８０２に示すように、通信教育受講者に対して通信教育サーバのネットワークアドレスを入力手段６１４を通じて入力させ、ステップ８０３に進む。
【００５５】
次に、ステップ８０３に示すように、通信教育クライアント６１０の中央制御手段６１１は通信教育サーバネットワークアドレス７０４あるいは通信教育受講者の入力した通信教育サーバのネットワークアドレスを用いて、ネットワーク６３０を介して通信教育サーバ６２０と接続し、その際、電子教科書ＤＶＤ６００の持つＤＶＤ識別情報７０３と正当性検査値７０７の値を情報送受信手段６１２を用いて通信教育サーバ６２０に送信する。
【００５６】
次に、判断８０４に示すように、通信教育サーバ６２０の中央制御手段６２１は情報送受信手段６２２を用いてＤＶＤ識別情報７０３と正当性検査値７０７を受信し、正当性検査手段６２６において、ＤＶＤ識別情報７０３と正当性検査値７０７とから電子教科書ＤＶＤ６００が正当なものかどうかを判断する。正当でない場合には、この電子教科書ＤＶＤ６００は不正に複製されたものであると判断して、ステップ８０５に示すように、通信教育サーバ６２０は動作を中断し通信教育クライアント６１０に対するネットワーク接続を切断する。正当である場合には、ステップ８０６に進む。
【００５７】
次に、ステップ８０６に示すように、通信教育サーバ６２０の中央制御手段６２１は、その時点で通信教育サーバ６２０と接続している通信教育クライアント６１０以外のすべての通信教育クライアントから得たＤＶＤ識別情報を得る。そこで得たＤＶＤ識別情報とその識別情報を持つ通信教育クライアントのネットワークアドレスとの対応関係を情報記憶手段６２３により記憶する。
【００５８】
次に、判断８０７に示すように、通信教育サーバ６２０の中央制御手段６２１は通信教育クライアント６１０から得たＤＶＤ識別情報７０３と同じＤＶＤ識別情報を持つ通信教育クライアントがその時点で接続しているかどうか、言い換えるならば、同一のＤＶＤ識別情報に対して複数の異なるネットワークアドレスが存在しているかどうかを判断する。接続している場合には、そのどちらかの電子教科書ＤＶＤが不正に複製されたものであると判断して、ステップ８０８に示すように、通信教育サーバ６２０は動作を中断し通信教育クライアント６１０に対するネットワーク接続を切断する。接続していない場合には、ステップ８０９に進む。
【００５９】
次に、ステップ８０９に示すように、通信教育サーバ６２０の中央制御手段６２１は、情報記憶手段６２３によって記憶されているＤＶＤ識別情報と学習進捗状況の対応表をもとに、この電子教科書ＤＶＤ６００の利用者が次に学習すべき内容や強調すべき箇所などの表示対象と表示方法と、特に追加して表示すべき付録などの表示方法についても規定したスクリプトを表示対象表示方法情報生成手段６２４により生成し、情報送受信手段６２２を用いて通信教育クライアント６１０にスクリプトを送信する。
【００６０】
ここで、図９はＤＶＤ識別情報と学習進捗状況の対応表の例を示している。たとえば、タイトル情報として「４−０１２３４５６」を持ち、発行番号情報として「Ａ０００００００１」を持つような電子教科書ＤＶＤを用いて通信教育を受講している通信教育受講者の学習進捗状況は、前回までに単元１．３（２）を３０分で終えた、という意味である。
【００６１】
また、図１０はスクリプトの生成について説明する図である。基礎データとして示しているのは、スクリプトを生成するために用いるデータであり、この場合にはタイトル情報として「４−０１２３４５６」を持ち、発行番号情報として「Ａ０００００００１」を持つような電子教科書ＤＶＤを用いて通信教育を受講している通信教育受講者の学習進捗状況が前回までに単元１．３（２）を３０分で終えたというのが基礎データとなる。これに対して、単元１．３（３）と付録Ａの３５ページから３９ページ、単元１のまとめを行なうようにという指示と、さらにその時点で１時間経過していれば本日の学習を終了するという指示、１時間経過していなければ付録Ａの４０ページから４５ページを見たあとに本日の学習を終了するという指示をスクリプトとして生成したものが指示データとして示したものである。なおこの場合、表示対象表示方法情報生成手段６２４は、この電子教科書ＤＶＤ６００の利用者は過去の学習進捗度が早いと見なして、このようなスクリプトを生成したものである。
【００６２】
次に、ステップ８１０に示すように、通信教育クライアント６１０の中央制御手段６１１は情報送受信手段６１２を用いて通信教育サーバ６２０からスクリプトを得、情報記憶手段６１５により格納した上でその内容を元に電子教科書ＤＶＤ６００の内容を情報表示手段６１６に表示する。この際、通信教育クライアント６１０の中央制御手段６１１はスクリプトを元にＤＶＤ駆動手段６１３を制御し、情報表示手段６１６に対して表示すべきデータを送る。
【００６３】
ここまでで、終了８１１に示すように、通信教育サービスの受講は終了し、通信教育クライアント６１０はネットワーク接続を切断する。
【００６４】
なお、図１１に示すように、メディア活用情報７００の一部に情報提供者連絡先情報として、この電子教科書ＤＶＤに関する質問などを受けつける担当者メールアドレス７０６が含まれている場合には、これを利用して通信教育クライアントから教科書の内容に関する質問などの電子メールを送信する際、アドレスの手入力による手間を省くことができる。
【００６５】
また、本実施の形態では詳細に述べなかったが、通信教育サービス側が定期的に試験を行なう場合には、ある決まった日時に通信教育受講者全員にこのサービスにアクセスしてもらい、一斉に復号用の鍵をネットワーク経由で配布し、通信教育クライアント６１０の中央制御手段６１１がこの鍵を用いて電子教科書ＤＶＤ６００内に格納されている暗号化された試験問題を復号化し、情報表示手段６１６において試験問題を表示し、通信教育受講者に試験問題として与えるといった手法も考えられる。そして、この場合、通信教育サーバ６２０から試験時間についての情報をともに送信し、試験時間が終了したら通信教育クライアント６１０の情報表示手段６１６での試験問題の表示を強制的に終了して、通信教育受講者の作成した解答データを通信教育サーバ６２０に自動送信するといったことも可能である。
【００６６】
また、図９ではタイトル情報、発行番号情報、学習進捗状況の記述方法の一例を示したが、学習進捗情報を学習中の箇所を示す情報とそれまでに掛かった時間の総和とに区別したり、またそれ以外の情報を入れたりしても構わない。
【００６７】
また、本実施の形態においては通信教育サービスそのものの受講の申し込み方法については特に述べなかったが、ネットワークを経由して申し込む場合や、電話・ファックス・郵便などを用いて申し込む場合などが考えられる。
【００６８】
また、本実施の形態においてはネットワーク接続が終了するのは通信教育の受講が終了したあととしたが、通信費の削減のために、必要なときのみ通信を行ない、スクリプトを受信したあとなど不要な場合には通信を切断しておくといった手法も考えられる。
【００６９】
また、本実施の形態においてはＤＶＤの正当性のチェックのために、メディア識別情報のみを用いて計算された正当性検査値を用いたが、メディア識別情報とともに他の情報を用いて計算された正当性検査値を用いるという手法も考えられる。
【００７０】
また、本実施の形態においては不当に複製されたと疑われるＤＶＤを利用していると判断された場合には通信を切断するとしたが、警告メッセージを発生するのみに留める手法も考えられる。
【００７１】
また、本実施の形態においては、過去の学習時間の累計が長い場合、即ち学習進捗度が遅い利用者の場合については述べなかったが、その場合には参考資料を表示しないといった学習内容を浅くする方法や、基本部分のみを学習させるといった方法をスクリプト上に表現して学習させるといった手法も考えられる。
【００７２】
また、本実施の形態においては複数の教科を受講する場合については述べなかったが、複数の教科を受講する場合には、ＤＶＤ識別情報７０３をタイトル情報７０１と発行番号情報７０２とで構成させ、発行番号情報７０２が同一になるように電子教科書ＤＶＤを配布したり、あるいは複数のＤＶＤ識別情報７０３に対して同一利用者が使用していることが分かるような対応関係を通信教育サーバ６２０で保持することにより、スクリプトの生成時に、一教科にのみ長時間偏った内容にならないように調整するといった手法も考えられる。
【００７３】
また、本実施の形態においては通信教育クライアント６１０に電子教科書ＤＶＤ６００の表示機能を有する情報表示手段６１６と通信教育サーバ６２０との通信機能を有する情報送受信手段６１２が備わっているものとしたが、電子教科書ＤＶＤ６００の中に表示機能・通信機能を有するプログラムを格納しておき、通信教育受講時に通信教育クライアント６１０にダウンロードして用いるといった手法も考えられる。
【００７４】
また、本実施の形態においては、正当性検査手段６２６は通信教育サーバ６２０に設けたが、通信教育クライアント６１０や他の電子計算機に設けることも当然可能である。通信教育クライアント６１０に設けた場合、通信教育クライアント６１０の正当性検査手段の判断結果を通信教育サーバ６２０へ送り、不正ならば通信教育サーバ６２０側でネットワーク接続を切断したり、あるいは正当性検査手段の判断結果を通信教育サーバ６２０に送信する代わりに、予め電子教科書ＤＶＤ６００に正当性検査手段が正当でないと判断した際、自動的に電子教科書ＤＶＤ６００の利用を強制終了させたり、通信教育クライアント６１０側でネットワーク接続を切断するようなプログラムを対応させておき、不正と判断された場合、その不正利用の防止を通信教育クライアント６１０側で行うなどの方法も考えられる。また、他の電子計算機に設けた場合、情報送受信手段６１２を用いて通信教育クライアント６１０から正当性検査手段を設けた他の電子計算機へＤＶＤ識別情報７０３と正当性検査値７０７を送信し、そのＤＶＤ識別情報７０３と正当性検査値７０７とから得られる正当性検査手段の判断結果を通信教育サーバ６２０または通信教育クライアント６１０へ送信し、通信教育サーバ６２０側または通信教育クライアント６１０側でネットワーク接続を切断するといった方法も考えられる。なお、正当性検査手段６２６を通信教育サーバ６２０に設けた場合や、通信教育サーバ６２０以外に設けるが判断結果は通信教育サーバ６２０に送信するような場合、通信教育サーバ６２０側で不正複製の状況を把握することができる。
【００７５】
また、正当性検査値７０７を計算する際に用いた一方向性関数は、通信教育サーバ６２０あるいは通信教育サーバ６２０に許可された電子計算機のみで用いられているものであり、通信教育クライアント６１０を含めた他のクライアントすべてに対して機密のものである。
【００７６】
また、正当性検査手段６２６として、通信教育サーバ６２０側で予め用意した正当性検査用の関数である検査用関数を用いた次のようなものが考えられる。
【００７７】
まず、正当性検査手段６２６を通信教育サーバ６２０あるいは通信教育サーバ６２０に許可された電子計算機に設けた場合、検査用関数として正当性検査値７０７を計算した一方向性関数と同じものを用いるならば、ＤＶＤ識別情報７０３を引数とし、そこから得られる結果と正当性検査値７０７とを比較し一致するかどうかを判断するといった方法がある。一方、通信教育クライアント６１０側に設けた場合、検査用関数が例えば複数の引数をもとにある値を算出する関数であるならば、ＤＶＤ識別情報７０３と正当性検査値７０７を引数とし、そこから得られる結果が、予め通信教育サーバ６２０側で定めた値や条件をクリアするかどうかを判断するといった方法が考えられる。後者の方法で用いた検査用関数と正当性検査値７０７を計算する際に用いた関数は異なるものであり、検査用関数から正当性検査値７０７を計算する際に用いた関数は容易に求めることはできない。
【００７８】
また、本実施の形態においては可搬型メディアとしてＤＶＤ、メディア活用情報の記録領域としてＤＶＤ上のメディア活用情報記録領域を用いたが、可搬型メディアとしてフロッピー（登録商標）ディスクやＣＤ−ＲＯＭなどの他のメディアや、書換え可能型のＤＶＤを用い、メディア活用情報の記録領域については、メディア本体の記録領域を用いることも可能である。また、ネットワークとしてはＬＡＮ（ローカルエリアネットワーク）・ＷＡＮ（ワイドエリアネットワーク）・インターネット・衛星網などを用いて実装することが可能である。
【００７９】
また、本実施の形態においては情報表示手段６１６として、通信教育クライアント６１０が表示を行うためのディスプレイなどとしたが、実際にはこれに限ったものでなく、例えばプリンタで印刷したり、任意の記憶媒体にダウンロードするといった方法も考えられる。
【００８０】
なお、図７、図１１において示すメディア活用情報の領域区分は論理的な区分であり、物理的な区分ではない。
【００８１】
以上のように、本実施の形態では、
個々のメディア（ここではＤＶＤ）を識別することのできる識別情報と当該メディアの正当性を検査するための値（正当性検査値）とを含むメディア活用情報６０１に基づいて、１）正当性検査手段６２６が当該メディアが正当なものであるかどうかを判断し、正当である場合、２）表示対象表示方法情報生成手段６２４が前記識別情報から当該メディアに対応した表示対象表示方法情報（ここではスクリプト）を生成し、前記表示対象表示方法情報に規定の方法に従って前記メディアの情報を提供することにより、
不正なメディアの使用を防止できる上、各メディア特有の形態で情報の提供が可能、つまり今日の消費者の要求形態の細分化時代に大いに反映した情報提供が可能となり、その実用的効果は大きい。
【００８２】
（実施の形態３）
図１２は本発明の第３の実施の形態による、可搬型メディアとして電子カタログを用いたカタログショッピングシステムの構成を示す図である。ここでも可搬型メディアとしてはデジタルビデオディスク（以下ＤＶＤと略す）を用いるが、第１および第２の実施の形態とは異なり、書き換え可能型とする。可搬型メディアのメディア活用情報は、ＤＶＤ内の本来の記録領域とは異なる、ＤＶＤ上の専用の箇所に記録する。この専用の箇所のことをメディア活用情報記録領域と今後称する。
【００８３】
１２００は電子カタログＤＶＤであって、販売される商品の仕様や外観、価格、商品コードなどの商品に関連するデータと、利用者の認証に利用するプログラム、購入履歴情報格納領域を含む。利用者の認証の詳細については後述する。１２０１はＤＶＤ上のメディア活用情報記録領域、１２０２は利用者の認証情報が記憶されている認証情報記憶領域、１２０３は利用者の購入履歴情報が記憶されている購入履歴情報記憶領域である。１２１０はカタログショッピング利用者の手元の電子計算機であるカタログショッピングクライアント、１２１１は前記カタログショッピングクライアント１２１０の動作全体を制御する中央制御手段、１２１２は前記カタログショッピングクライアント１２１０のネットワークに対する情報の送受信を行なう情報送受信手段、１２１３は前記電子カタログＤＶＤ１２００を駆動する前記カタログショッピングクライアント１２１０のＤＶＤ駆動手段、１２１４は前記カタログショッピングクライアント１２１０に対してカタログショッピング利用者が入力を行なうキーボードやマウス、音声認識装置、タブレット、ペンなどの入力手段、１２１５は前記カタログショッピングクライアント１２１０の中央制御手段１２１１が必要な情報を記憶しておく情報記憶手段、１２１６はカタログショッピング利用者に対して前記カタログショッピングクライアント１２１０が表示を行なうためのディスプレイなどの情報表示手段、１２１７はカタログショッピング利用者の利用者認証を行なう利用者認証手段である。
【００８４】
１２２０はカタログショッピングサービスを提供するカタログショッピングサーバ、１２２１は前記カタログショッピングサーバ１２２０の動作全体を制御する中央制御手段、１２２２は前記カタログショッピングサーバ１２２０のネットワークに対する情報の送受信を行なう情報送受信手段、１２２３は前記カタログショッピングサーバ１２２０の中央制御手段１２２１が必要な情報を記憶しておく情報記憶手段、１２２４は電子カタログＤＶＤ１２００の中に記録されている情報のうち、どこをどのように表示するかを規定する表示対象表示方法情報例えばスクリプトを生成する表示対象表示方法情報生成手段である。１２３０は前記カタログショッピングクライアント１２１０と前記カタログショッピングサーバ１２２０との間を繋ぐネットワークである。
【００８５】
図１３は、本発明の第３の実施の形態に係わるメディア活用情報の構成例である。
【００８６】
１３００はメディア活用情報、１３０１はこのＤＶＤのタイトルや発行者、発行年、内容などを一意に特定可能な、書籍で使われているＩＳＢＮ番号に相当するタイトル情報、１３０２はタイトル情報１３０１に応じて設定されるＤＶＤ１枚ごとの通し番号である発行番号情報、１３０３はタイトル情報１３０１と発行番号情報１３０２とをまとめたＤＶＤ識別情報、１３０４はカタログショッピングサーバ１２２０のネットワークアドレスを抽出可能なカタログショッピングサーバネットワークアドレス、１３０５は電子カタログＤＶＤ１２００の主な利用者の性質を抽出可能な利用者情報である。これらのメディア活用情報は、ＤＶＤ配布時には既に図１２のメディア活用情報記録領域１２０１に記録済みである。
【００８７】
図１４は、本発明の第３の実施の形態の処理の流れを示すフローチャートである。
【００８８】
図１５は図１３の利用者情報１３０５の例を二つ示してある。たとえば、（１）の方では利用者情報として性別・年齢・居住地・家族構成は不明であるが、その電子カタログＤＶＤの販路は○●カードサービスの直販であり、カタログが販売された地域は関東であるという情報が利用者情報として設定されている。また、（２）の方では利用者情報として性別は女性、年齢は３５歳、居住地は東京城南地区、家族構成は不明、電子カタログＤＶＤの販路はこのカタログショッピング事業者からの直送、カタログが販売された地域は関東であるという情報が利用者情報として設定されている。なお、この利用者情報１３０５は、このような主たる利用者の性質がわかるように、つまりＤＶＤ駆動手段１２１３が抽出可能なコードなどで記録されている。
【００８９】
図１６は本発明の第３の実施の形態を拡張する場合のメディア活用情報の構成例である。１３０６はこの電子カタログＤＶＤ１２００に関する問い合わせ等を行なう相手の電子メールアドレスを導くことの可能な担当者メールアドレス、１３０７はＤＶＤ識別情報１３０３を用いて計算された正当性検査値である。１３００、１３０１、１３０２、１３０３、１３０４、１３０５は図１３で説明したものと同じであるので説明を省略する。
【００９０】
以下、図１２から図１６を用いて、本発明の第３の実施の形態の動作を説明する。
【００９１】
カタログショッピング利用者は書店や通信販売で購入、あるいはカタログショッピングサービス提供者から配布してもらうことにより電子カタログＤＶＤ１２００を入手する。
【００９２】
以降、図１４のフローチャートに沿って説明する。図１４においては角の丸い長方形で囲われた部分はフローチャートの開始・終了を示し、菱形で囲われた部分は判断を示し、長方形で囲われた部分は処理を示し、矢印は処理の流れを示している。
【００９３】
まず、カタログショッピング利用者は、電子カタログＤＶＤ１２００をカタログショッピングクライアント１２１０のＤＶＤ駆動手段１２１３にセットし、入力手段１２１４を用いて、カタログショッピング開始を中央制御手段１２１１に指示する。これにより、開始１４００に示すように、カタログショッピングサービスが開始される。
【００９４】
次に、判断１４０１に示すように、カタログショッピングクライアント１２１０の中央制御手段１２１１は購入履歴情報が既に電子カタログＤＶＤ１２００の購入履歴情報記憶領域１２０３に記録されているかどうか判断し、記録されていなければ、新たにスクリプトを生成する必要がないため既定のスクリプトを電子カタログＤＶＤ１２００の表示に用いることを決定し、ステップ１４０３に進む。記録されていればステップ１４０２に示すように、カタログショッピングクライアント１２１０の中央制御手段１２１１は購入履歴情報記憶領域１２０３に記録されている購入履歴情報をＤＶＤ識別情報１３０３とともに情報送受信手段１２１２を用いてカタログショッピングサーバ１２２０に送信し、カタログショッピングサーバ１２２０の中央制御手段１２２１は情報送受信手段１２２２によってＤＶＤ識別情報１３０３と購入履歴情報を受信し、表示対象表示方法情報生成手段１２２４によって電子カタログＤＶＤ１２００の表示方法であるスクリプトを決定し、その後、カタログショッピングクライアント１２１０へスクリプトを転送し、ステップ１４０３に進む。
【００９５】
次に、ステップ１４０３に示すように、カタログショッピングクライアント１２１０の中央制御手段１２１１はステップ１４０２で決定したスクリプト、あるいは既定のスクリプトに基き、電子カタログＤＶＤ１２００の内容を情報表示手段１２１６を用いて表示する。ここで、電子カタログＤＶＤ１２００の表示方法としては、たとえば、過去の購入商品のカテゴリに順位を付け、順位の高いものやそれに関連するものについてはカタログの中でも強調表示を行なったり、まったく関心のないものについてはイメージによる表示をやめ、テキストによる表示のみを行なうなどの方法が考えられる。この際、カタログショッピングクライアント１２１０の中央制御手段１２１１はそのスクリプトを元にＤＶＤ駆動手段１２１３を制御し、情報表示手段１２１６に対して表示すべきデータを送る。
【００９６】
次に、電子カタログＤＶＤ１２００の表示中に、購入を希望する商品があった場合には、判断１４０４に示すように、電子カタログＤＶＤ１２００を利用して商品購入を試みるのが初めてであるかどうかを判断する。電子カタログＤＶＤ１２００内の認証情報記憶領域１２０２に認証情報が設定されていない場合には初めて購入を試みる場合であり、そうでない場合には初めてではない、つまり以前に購入を試みたことがあると判断する。
【００９７】
初めてである場合には、ステップ１４０５に示すように、カタログショッピング利用者に入力手段１２１４を用いてパスワードの設定を行なわせる。パスワードを設定すると、カタログショッピングクライアント１２１０の中央制御手段１２１１は電子カタログＤＶＤ１２００内の利用者認証用プログラムを利用者認証手段１２１７にダウンロードし、利用者の設定したパスワードとＤＶＤ識別情報１３０３に対してこのプログラムを適用し、一方向のハッシュ値を計算し、その結果を認証情報として電子カタログＤＶＤ１２００の認証情報記憶領域１２０２に記録し、ステップ１４０９に進む。
【００９８】
初めてでない場合には、ステップ１４０６に示すように、カタログショッピング利用者に入力手段１２１４を用いてパスワードを入力させ、カタログショッピングクライアント１２１０の中央制御手段１２１１は電子カタログＤＶＤ１２００内の利用者認証用プログラムを利用者認証手段１２１７にダウンロードし、利用者の入力したパスワードとＤＶＤ識別情報１３０３に対してこのプログラムを適用し、一方向のハッシュ値を計算する。次に、判断１４０７に示すように、利用者認証手段１２１７により前記のハッシュ値と電子カタログＤＶＤ１２００の認証情報記憶領域１２０２に既に記憶されている認証情報と比較し、等しい場合には認証が成功したものとしてステップ１４０９に進み、異なる場合には認証が失敗したものとしてステップ１４０８に示すようにカタログショッピングクライアント１２１０の中央制御手段１２１１はカタログショッピングサービスを中止する。
【００９９】
次に、ステップ１４０９に示すように、カタログショッピングクライアント１２１０の中央制御手段１２１１は、カタログショッピングサーバネットワークアドレス１３０４を用いて、ネットワーク１２３０を介して、カタログショッピングサーバ１２２０と接続し、その際、カタログショッピング利用者が購入を希望している商品に関する情報として、たとえば、商品コードや色、数量等を情報送受信手段１２１２を用いてカタログショッピングサーバ１２２０に送信する。
【０１００】
次に、ステップ１４１０に示すように、カタログショッピングサーバ１２２０の中央制御手段１２２１は情報送受信手段１２２２を用いてカタログショッピング利用者が購入を希望している商品に関する情報を受信し、購入手続きを実施する。ここでの購入手続きは従来のカタログショッピングと同様のものであってよい。
【０１０１】
次に、ステップ１４１１に示すように、カタログショッピングクライアント１２１０の中央制御手段１２１１は購入手続きを行なった商品に関する情報を元に購入日時や購入商品、購入個数などの購入履歴情報を生成し、購入履歴情報記憶領域１２０３に追加記録する。
【０１０２】
次に、判断１４１２に示すように、カタログショッピングクライアント１２１０の中央制御手段１２１１は利用者情報１３０５にデータが記録されているかどうかを判断し、記録されていなければ終了１４１４に進む。記録されている場合には、中央制御手段１２１１は情報送受信手段１２１２を用いて利用者情報１３０５をカタログショッピングサーバ１２２０に送信し、カタログショッピングサーバ１２２０の中央制御手段１２２１は情報送受信手段１２２２を用いて利用者情報１３０５を受信し、利用者情報１３０５と購入商品、購入個数などの対応関係を情報記憶手段１２２３に記録する。中央制御手段１２２１はこの対応関係をマーケティングリサーチなどの統計処理に利用することが可能である。
【０１０３】
ここで、利用者情報１３０５には、図１５に示されるような情報が記録されているが、図１５の（１）で示すように、性別、年齢といった情報はカタログショッピングサービス提供者が直接電子カタログＤＶＤ１２００に記録しない限りは記録することができないため、カタログの販路や販売地域に関する情報が得られるのみである。しかし、いったん該カタログを用いて物品を購入した場合には、カタログのＤＶＤ識別情報１３０３のうち、発行番号情報１３０２をあたかもカタログショッピングにおける会員番号のように利用者を特定する情報として用いることが可能となる。一般にカタログは毎年、あるいは季節ごとに配布されるため、いったん注文を受けた利用者に対しては、次回以降は同一の発行番号情報を持つカタログを直送し、その際に、注文の時点でカタログショッピング利用者から情報を入手するなどして判明しうる利用者に関する情報を利用者情報としてＤＶＤのメディア活用情報記録領域上に記録することで、図１５の（２）で示すような性別、年齢、居住地などの内容をあらかじめ記録しておくことが可能となる。
【０１０４】
以上の処理が終わったあと、処理は終了１４１４へ進み、カタログショッピングクライアント１２１０はカタログショッピングサーバ１２２０とのネットワーク接続を切断し、カタログショッピングサービスは終了する。
【０１０５】
なお、図１４は基本的な流れを示すフローチャートであり、複数の種類の商品を購入したい場合や、商品の購入手続きが終了したあとさらに電子カタログＤＶＤの内容を表示させ、別の商品の説明を見たいといった流れは記述していないが、このような処理を行なわせることも可能である。
【０１０６】
また、図１６に示すように、メディア活用情報１３００の一部に情報提供者連絡先情報として、この電子カタログＤＶＤに関する問い合わせなどを受けつける担当者メールアドレス１３０６が含まれている場合には、これを利用してカタログショッピングクライアントからカタログの内容に関する問い合わせなどの電子メールを送信する際に、電子メールアドレスを入力する手間を省くことができる。
【０１０７】
また、同様に図１６に示すように、メディア活用情報１３００の一部に正当性検査値１３０７を設けることにより、本発明の第２の実施の形態と同様に電子カタログＤＶＤ１２００の不正複製に関する判断を行なうことが可能である。
【０１０８】
また、本実施の形態においてはサービス利用の開始方法については特に述べなかったが、ネットワークを経由して申し込む場合や、電話・ファックス・郵便などを用いて申し込む場合などが考えられる。この際に、クレジットカードの番号を事前にカタログショッピングサービス事業者に伝えておき、電子カタログＤＶＤ１２００の発行番号情報１３０２との対応をカタログショッピングサーバで記憶させておくことにより、クレジットカード番号を入力しなくてもクレジットによる商品購入を可能とする手法も考えられる。さらに、クレジットカードで電子カタログＤＶＤ１２００を購入した場合などには、予めクレジットカード番号と発行番号情報１３０２との対応をカタログショッピングサーバ１２２０側で記憶させておくことができる。
【０１０９】
また、本実施の形態においては電子カタログＤＶＤ１２００の書き込み可能領域に購入履歴情報記憶領域１２０３を設けて購入履歴情報を記録したが、同時にカタログショッピングサーバ１２２０側にも電子カタログＤＶＤのＤＶＤ識別情報１３０３と購入履歴との関連を情報記憶手段１２２３に記憶させておくことにより、利用者情報１３０５をあらかじめメディア活用情報記録領域１２０１上に記録するのと同様、購入履歴を新しい電子カタログＤＶＤの購入履歴情報記憶領域に記録して利用者に配布するといったことが可能となる。
【０１１０】
また、本実施の形態においては、表示対象表示方法情報生成手段１２２４をカタログショッピングサーバ１２２０内に設けたが、電子カタログＤＶＤ１２００内にスクリプトを生成するプログラムを設け、カタログショッピングクライアント１２１０にダウンロードしてスクリプトを生成させることにより、ネットワークを介することなく、スクリプトを得ることができる。さらにこの場合、購入履歴情報をカタログショッピングサーバ１２２０にも転送しておけば、電子カタログＤＶＤ１２００内に設けられているスクリプト生成プログラムでは生成することのできないスクリプトをカタログショッピングサーバ１２２０が転送したいと判断した場合などには、例外的にスクリプトをカタログショッピングサーバ１２２０で生成して、カタログショッピングクライアント１２１０に転送することも当然可能である。
【０１１１】
また、本実施の形態においては、主たる利用者１人のみの登録としたが、同一の電子カタログＤＶＤを家族で見るといった、複数の利用者の登録ということもありうる。この場合には、認証情報や購入履歴を複数登録することになる。
【０１１２】
また、本実施の形態においては電子カタログＤＶＤ１２００として書換え可能型のものを用いたが、読み出し専用型のものを用いる場合には、利用者の認証を行なうにはカタログショッピングクライアント１２１０とカタログショッピングサーバ１２２０との間でネットワーク１２３０を介して認証処理を行なう必要がある。これは従来利用されてきた、認証用のデータのやりとりやネットワーク上のプロトコルの暗号化などの技術、例えばリモート・ログインの手続の際によく用いられるログイン名とそのパスワードといったものを用いることで実現可能である。
【０１１３】
また、本実施の形態においては利用者認証手段１２１７をカタログショッピングクライアント１２１０に設けたが、そもそも電子カタログＤＶＤ１２００の利用に関して認証されていない利用者による不正防止のための手段であるので、カタログショッピングサーバ１２２０に設けてもかまわない。その際、上述と同様、認証用のデータのやりとりやネットワーク上のプロトコルの暗号化などの技術、例えばリモート・ログインの手続の際によく用いられるログイン名とそのパスワードといったものを用いることで実現可能である。
【０１１４】
また、本実施の形態においてはパスワードを初めて設定する場合についてのみ述べ、変更する場合については述べなかったが、すでにパスワードが設定されている場合には、パスワードを変更する場合には利用者認証処理が成功した場合にのみパスワードの変更が可能であるといった制限を設けることにより、不正な変更を防止することができる。
【０１１５】
また、本実施の形態においては初めて商品購入を試みる場合には利用者認証を行なわずにパスワードを設定したが、初めての場合にはＤＶＤのパッケージに初期パスワードを付けておき、これを用いて利用者認証を行ない、改めてパスワードを入力させるといった方法が考えられる。
【０１１６】
また、本実施の形態においてはパスワードを入力するタイミング、即ち利用者の利用認証を行うタイミングを商品購入を試みる場合に設定したが、これは不正な商品購入が行われないことを目的で設定したのであって、その目的に応じて、電子カタログＤＶＤ１２００そのものを起動させる際に行っても、商品購入以外の情報を利用する際に行ってもかまわない。
【０１１７】
また、本実施の形態においては利用者認証を行うのは１回のみであるが、もちろん１回とは限らず、電子カタログＤＶＤ１２００そのものを起動させる場合、商品購入を試みる場合、その他の情報を利用する場合、など様々な組合せで複数設けてもかまわない。そして複数設定すれば、電子カタログＤＶＤ１２００を購入した利用者には、利用者の設定したパスワードを入力することにより商品購入を試みることができ、購入し更に年会費などを払って会員になった利用者には品数限定の特別商品の購入を試みることもできるといった様々な利用が可能となる。
【０１１８】
また、本実施の形態においてはカタログショッピングクライアント１２１０に電子カタログＤＶＤ１２００の表示機能を有する情報表示手段１２１６とカタログショッピングサーバ１２２０との通信機能を有する情報送受信手段１２１２が備わっているものとしたが、電子カタログＤＶＤ１２００の中に表示機能・通信機能を有するプログラムを格納しておき、カタログショッピングサービス開始時にカタログショッピングクライアント１２１０にダウンロードして用いるといった手法も考えられる。
【０１１９】
また、本実施の形態においては可搬型メディアとしてＤＶＤ、メディア活用情報の記録領域としてＤＶＤ上のメディア活用情報記録領域を用いたが、可搬型メディアとしてフロッピー（登録商標）ディスクやＣＤ−ＲＯＭなどの他のメディアや、読み出し専用型のＤＶＤを用い、メディア活用情報の記録領域については、メディア本体の記録領域や読み出し専用型のＤＶＤの場合にはメディア活用情報記録領域を用いることも可能である。また、ネットワークとしてはＬＡＮ（ローカルエリアネットワーク）・ＷＡＮ（ワイドエリアネットワーク）・インターネット・衛星網などを用いて実装することが可能である。
【０１２０】
また、本実施の形態においては情報表示手段１２１６として、カタログショッピングクライアント１２１０が表示を行うためのディスプレイなどとしたが、実際にはこれに限ったものでなく、例えばプリンタで印刷したり、任意の記憶媒体にダウンロードするといった方法も考えられる。
【０１２１】
なお、図１３、図１６において示すメディア活用情報の領域区分は論理的な区分であり、物理的な区分ではない。
【０１２２】
以上のように、本実施の形態では、
個々のメディア（ここでは書き込み可能型ＤＶＤ）を識別することのできる識別情報を含むメディア活用情報１２０１と、当該メディアの書き込み可能領域に記憶される、利用者の正当性判断のための認証情報１２０２と当該メディアの利用状況である利用履歴（ここではカタログショッピングの購入履歴）１２０３と、を記録可能にし、当該メディアから情報を得る際に、１）表示対象表示方法情報生成手段１２２４は、利用履歴に見合ったカタログ内容のスクリプトを生成し、２）利用者が商品の購入の際、利用者認証手段１２１７は利用者が正当な利用者であるかどうかを判断し、正当である場合（はじめての利用者の場合、パスワードの設定を行い）、商品が購入できるよう当該メディアの利用を行わせることにより、
今日のネットワーク化時代の電子商取引（ここではカタログショッピングによる商品購入）において、完全なセキュリティーシステムを持つ取引の実現、及び、利用者個人に対応したサービス提供の実現が可能となり、その実用的効果は大きい。
【０１２３】
（実施の形態４）
図１７は本発明の第４の実施の形態による、可搬型メディアとして料理の手順を動画で説明する内容を記録した電子料理ブックを用いた情報検索システムの構成を示す図である。ここでも可搬型メディアとしてはデジタルビデオディスク（以下ＤＶＤと略す）を用いるが、第１および第２の実施の形態と同様に読み出し専用型とする。可搬型メディアのメディア活用情報は、ＤＶＤ内の本来の記録領域とは異なる、ＤＶＤ上の専用の箇所に記録する。この専用の箇所のことをメディア活用情報記録領域と今後称する。
【０１２４】
１７００は電子料理ブックＤＶＤであって、料理の手順を示す動画などが記録されている。この動画には図１９を用いて後で説明するような情報検索用のキーワードが付与されている。１７１０は情報検索者の手元の電子計算機である情報検索クライアント、１７１１は情報検索クライアント１７１０の動作全体を制御する中央制御手段、１７１２は情報検索クライアント１７１０のネットワークに対する情報の送受信を行なう情報送受信手段、１７１３は電子料理ブックＤＶＤ１７００を駆動する情報検索クライアント１７１０のＤＶＤ駆動手段、１７１４は情報検索クライアント１７１０に対して情報検索者が入力を行なうキーボードやマウス、音声認識装置、タブレット、ペンなどの入力手段、１７１５は前記情報検索クライアント１７１０の中央制御手段１７１１が必要な情報を記憶しておく情報記憶手段、１７１６は情報検索者に対して前記情報検索クライアント１７１０が表示を行なうためのディスプレイなどの情報表示手段である。
【０１２５】
１７２０は情報を提供する複数の情報提供サーバを示す情報提供サーバ群である。１７３０、１７４０、１７５０、１７６０はそれぞれ情報提供サーバ群１７２０に含まれる個々の情報提供サーバである。１７３１は情報提供サーバ１７３０の動作全体を制御する中央制御手段、１７３２は情報提供サーバ１７３０のネットワークに対する情報の送受信を行なう情報送受信手段、１７３３は情報提供サーバ１７３０の中央制御手段１７３１が必要な情報を記憶しておく情報記憶手段である。情報提供サーバ１７４０、情報提供サーバ１７５０、情報提供サーバ１７６０にも情報提供サーバ１７３０と同様の中央制御手段、情報送受信手段、情報記憶手段それぞれが存在するが、本実施の形態の説明においては省略する。
【０１２６】
１７８０は情報提供サーバ群１７２０の中から、情報検索者の求める情報を提供する情報提供サーバを検索する検索サーバである。１７８１は前記検索サーバ１７８０の動作全体を制御する中央制御手段、１７８２は検索サーバ１７８０のネットワークに対する情報の送受信を行なう情報送受信手段、１７８３は検索サーバ１７８０の中央制御手段１７８１の指示に基き情報提供サーバ群１７２０の中から情報提供サーバを検索するサーバ検索手段である。１７９９は前記情報検索クライアント１７１０と前記情報提供サーバ群１７２０に含まれる複数の情報提供サーバと検索サーバ１７８０との間を繋ぐネットワークである。
【０１２７】
また、本実施の形態の説明においては情報提供サーバ群１７２０には４つの情報提供サーバしか含まれていないが、説明上４つに限定したのであり、実際には多くの情報提供サーバが含まれる。
【０１２８】
図１８は本発明の第４の実施の形態の処理の流れを示すフローチャートである。
【０１２９】
図１９は動画に検索用のキーワードを付ける場合のデータ構造の例である。ＤＶＤに記録されている動画データそれぞれについて、フレーム番号の開始位置・終了位置と、その間の映像に関連するキーワードとの対応を示している。たとえば、Ａ００００１．ｍｐｇというデータ名を持つ動画については、フレーム番号００００からフレーム番号１５００の間には「たまねぎ」「にんじん」「牛テール」というキーワードが付与されており、同じ動画のフレーム番号１５０１からフレーム番号２０００の間には「レタス」「豆腐」「わかめ」「ごま」というキーワードが付与されていることを示している。
【０１３０】
以下、図１７から図１９を用いて本発明の第４の実施の形態の動作を説明する。
【０１３１】
情報検索者は書店や通信販売などで購入することにより電子料理ブックＤＶＤ１７００を入手する。
【０１３２】
以降、図１８のフローチャートに沿って説明する。図１８においては角の丸い長方形で囲われた部分はフローチャートの開始・終了を示し、菱形で囲われた部分は判断を示し、長方形で囲われた部分は処理を示し、矢印は処理の流れを示している。
【０１３３】
まず、情報検索者は、電子料理ブックＤＶＤ１７００を情報検索クライアント１７１０のＤＶＤ駆動手段１７１３にセットし、入力手段１７１４を用いて、電子料理ブックＤＶＤ１７００の表示開始を中央制御手段１７１１に指示し、中央制御手段１７１１はＤＶＤ駆動手段１７１３を制御して、情報表示手段１７１６により電子料理ブックＤＶＤ１７００の内容を表示する。内容を表示している途中で情報検索者が内容に関連する情報検索を指示すると、開始１８００に示すように、情報検索・表示処理が開始される。ここで、検索対象の情報とは、表示中の映像に関連する情報、この場合においてはその料理を作るのに必要な食材を販売しているスーパーマーケットや個人商店などの情報である。
【０１３４】
次に、ステップ１８０１に示すように、情報検索クライアント１７１０の中央制御手段１７１１は、ＤＶＤ駆動手段１７１３を用いて表示中の電子料理ブックＤＶＤ１７００の内容に付随するキーワード群を得る。ここで、情報検索者が入力手段１７１４を用いて検索サーバ１７８０のネットワークアドレスを入力し、ステップ１８０２に進む。あるいは電子料理ブックＤＶＤ１７００がＤＶＤ駆動手段１７１３にセットされると必ず検索サーバ１７８０と接続するようにシステム設計されている場合は情報検索者によるネットワークアドレスの入力なしで、ステップ１８０２に進むことができる。
【０１３５】
次にステップ１８０２に示すように、情報検索クライアント１７１０の中央制御手段１７１１はネットワーク１７９９を介して検索サーバ１７８０と接続する。その際、情報表示手段１７１６によって表示されている映像に付与されているキーワード群を情報送受信部１７１２を用いて検索サーバ１７８０に送信し、検索サーバ１７８０の中央制御手段１７８１は情報送受信部１７８２を用いてそのキーワード群を受信し、ステップ１８０３へ進む。
【０１３６】
次にステップ１８０３に示すように、検索サーバ１７８０の中央制御手段１７８１は渡されたキーワード群をもとに、サーバ検索手段１７８３を用いて情報検索者の求める情報の存在する情報提供サーバを情報提供サーバ群１７２０の中から検索する。ここで、図１９における動画データＡ００００１．ｍｐｇの第１０００フレームを表示中に利用者からメディア関連情報検索の指示がきたものとすると、キーワードとしては、「たまねぎ」「にんじん」「牛テール」の三つを用いることになる。検索サーバ１７８０のサーバ検索手段１７８３はこれら三つのキーワードを持つ情報提供サーバを検索し、その結果情報提供サーバ１７３０がすべてのキーワードを持っていたとすると、検索結果としては情報提供サーバ１７３０となる。この際、サーバ検索手段１７８３には情報提供サーバの持つ情報のインデックスを蓄えておいてもよいし、また、それぞれの情報提供サーバに対して検索キーワードを送信して検索するなどのバリエーションがある。
【０１３７】
次にステップ１８０４に示すように、検索サーバ１７８０の中央制御手段１７８１は情報送受信手段１７８２を用いて、情報提供サーバ１７３０のネットワークアドレスを情報検索クライアント１７１０に送信し、情報検索クライアント１７１０の中央制御手段１７１１は情報送受信手段１７１２を用いて情報提供サーバ１７３０のネットワークアドレスを受信し、ネットワーク接続を終了する。
【０１３８】
次にステップ１８０５に示すように、情報検索クライアント１７１０の中央制御手段１７１１は得られた情報提供サーバ１７３０のネットワークアドレスをもとに情報提供サーバ１７３０と接続し、メディア関連情報の提供を要求する。
【０１３９】
次に、ステップ１８０６に示すように、情報提供サーバ１７３０の中央制御手段１７３１は情報記憶手段１７３３により記憶してあるメディア関連情報の内容を、情報送受信手段１７３２を用いて情報検索クライアント１７１０に送信し、情報検索クライアント１７１０の中央制御手段１７１１は情報送受信手段１７１２を用いてメディア関連情報を受信し、ネットワーク接続を切断することにより通信を終了する。
【０１４０】
次にステップ１８０７に示すように、情報検索クライアント１７１０の中央制御手段１７１１は得られたメディア関連情報を情報表示手段１７１６により表示する。この際、メディア関連情報を情報検索クライアント１７１０の情報記憶手段１７１５により一時的に記憶しておくことも当然可能である。
【０１４１】
以上の処理が終わったあと、終了１８０８へ進み、情報検索・表示処理が終了する。また、ネットワーク接続を切断するタイミングであるが、メディア関連情報を受信し、表示した後に切断するタイミングでもいっこうにかまわない。また、情報検索者の意志に基づき、通信を終了せずに続けるということも当然あり得る。
【０１４２】
なお、本実施の形態においては説明上、キーワードが付与されるのは動画データであるとしたが、これは動画である必要はなく、電子料理ブックＤＶＤ１７００内の、情報検索者に表示されうるデータであれば、静止画やテキスト、グラフィックスなどの他のデータに付与されている場合にも同様の効果を得ることができる。
【０１４３】
また、本実施の形態においては可搬型メディアとしてＤＶＤを用いたが、可搬型メディアとしてフロッピー（登録商標）ディスクやＣＤ−ＲＯＭなどの他のメディアや、読み出し専用型のＤＶＤを用いることも可能である。また、ネットワークとしてはＬＡＮ（ローカルエリアネットワーク）・ＷＡＮ（ワイドエリアネットワーク）・インターネット・衛星網などを用いて実装することが可能である。
【０１４４】
また、本実施の形態においては情報表示手段１７１６として、情報検索クライアント１７１０が表示を行うためのディスプレイなどとしたが、実際にはこれに限ったものでなく、例えばプリンタで印刷したり、任意の記憶媒体にダウンロードするといった方法も考えられる。
【０１４５】
以上のように、本実施の形態では、
情報検索クライアント１７１０が、データを記録している使用中のメディア１７００からそのデータに関連づけられている検索用のキーワードを検索サーバ１７８０へ送信し、検索サーバ１７８０はそのキーワードをもとに、情報提供サーバとして適切な情報提供サーバを検索し、その検索結果（ネットワークアドレス）を受けて情報検索クライアントが情報提供サーバからメディア関連情報の提供を受けることにより、
情報提供サーバの検索に当たりキーワード入力の手間が省くことができる上、予め関連づけられた（即ち精度の高い）キーワードから適切な情報提供サーバとの接続及び検索者への情報提供をすることができ、また、情報提供サーバのネットワークアドレスが追加・削除・変更になった場合でも、検索サーバにて更新を維持すればよいため、今日の複雑化したネットワーク時代において、情報検索者へ負担を一切かけることなく精度の高い情報提供をスムーズに行うことができ、その実用的効果は大きい。
【０１４６】
（実施の形態５）
図２０は本発明の第５の実施の形態による、可搬型メディアとして料理の手順を動画で説明する内容を記録した電子料理ブックを用いた情報検索システムの構成を示す図である。ここでも可搬型メディアとしてはデジタルビデオディスク（以下ＤＶＤと略す）を用いるが、第１、第２および第４の実施の形態と同様に読み出し専用型とする。可搬型メディアのメディア活用情報は、ＤＶＤ内の本来の記録領域とは異なる、ＤＶＤ上の専用の箇所に記録する。この専用の箇所のことをメディア活用情報記録領域と今後称する。
【０１４７】
２０００は電子料理ブックＤＶＤであって、料理の手順を示す動画が記録されている。この動画には図２３を用いて後で説明するような情報検索用のキーワードが付与されている。２００１は電子料理ブックＤＶＤ２０００上のメディア活用情報記録領域を示す。２０１０は情報検索者の手元の電子計算機である情報検索クライアント、２０１１は前記情報検索クライアント２０１０の動作全体を制御する中央制御手段、２０１２は前記情報検索クライアント２０１０のネットワークに対する情報の送受信を行なう情報送受信手段、２０１３は前記電子料理ブックＤＶＤ２０００を駆動する情報検索クライアント２０１０のＤＶＤ駆動手段、２０１４は情報検索クライアント２０１０に対して情報検索者が入力を行なうキーボードやマウス、音声認識装置、タブレット、ペンなどの入力手段、２０１５は情報検索クライアント２０１０の中央制御手段２０１１が必要な情報を記憶しておく情報記憶手段、２０１６は情報検索者に対して情報検索クライアント２０１０が表示を行なうためのディスプレイなどの情報表示手段、２０１７は情報検索クライアント２０１０の中央制御手段２０１１が情報検索者の居住地域に関する情報を記憶する居住地域情報記憶手段である。
【０１４８】
２０２０は情報を提供する複数の情報提供サーバを示す情報提供サーバ群である。２０３０、２０４０、２０５０、２０６０はそれぞれ情報提供サーバ群２０２０に含まれる個々の情報提供サーバである。２０３１は情報提供サーバ２０３０の動作全体を制御する中央制御手段、２０３２は情報提供サーバ２０３０のネットワークに対する情報の送受信を行なう情報送受信手段、２０３３は情報提供サーバ２０３０の中央制御手段２０３１が必要な情報を記憶しておく情報記憶手段である。情報提供サーバ２０４０、情報提供サーバ２０５０、情報提供サーバ２０６０にもそれぞれ、情報提供サーバ２０３０と同様の中央制御手段、情報送受信手段、情報記憶手段が存在するが、本実施の形態の説明においては省略する。なお、本実施の形態においては説明上、情報提供サーバ群２０２０には４つの情報提供サーバしか含まれていないが、説明上４つに限定したのであり、実際には多くの情報提供サーバが含まれる。
【０１４９】
２０７０は情報提供サーバ群２０２０の中から、情報検索者の求める情報を提供する情報提供サーバを検索する複数の検索サーバを示す検索サーバ群である。２０８０、２０９０はそれぞれ検索サーバ群２０７０に含まれる個々の検索サーバである。２０８１は検索サーバ２０８０の動作全体を制御する中央制御手段、２０８２は検索サーバ２０８０のネットワークに対する情報の送受信を行なう情報送受信手段、２０８３は検索サーバ２０８０の中央制御手段２０８１の指示に基き情報提供サーバ群２０２０の中から情報提供サーバを検索するサーバ検索手段、２０８４は検索サーバ２０８０の中央制御手段２０８１の指示に基き検索サーバ群２０７０の中から検索サーバを選択するために設けられているサーバ選択手段である。検索サーバ２０９０にも検索サーバ２０８０と同様の中央制御手段、情報送受信手段、サーバ検索手段、サーバ選択手段が存在するが、本実施の形態の説明においては省略する。なお、本実施の形態においては説明上、検索サーバ群２０７０には２つの検索サーバしか含まれていないが、説明上２つに限定したのであり、実際には多くの検索サーバが含まれる。
【０１５０】
また、本実施の形態においては説明上、検索サーバ２０８０には情報提供サーバ２０３０、情報提供サーバ２０４０、情報提供サーバ２０５０が検索対象として登録されており、検索サーバ２０９０には情報提供サーバ２０６０が検索対象として登録されているとする。
【０１５１】
２０９９は情報検索クライアント２０１０と情報提供サーバ群２０２０に含まれる複数の情報提供サーバと検索サーバ群２０７０に含まれる複数の検索サーバとの間を繋ぐネットワークである。
【０１５２】
図２１は本発明の第５の実施の形態に係わるメディア活用情報の構成例である。
【０１５３】
２１００はメディア活用情報、２１０１はこのＤＶＤのタイトルや発行者、発行年、内容などを一意に特定可能な、書籍などで使われているＩＳＢＮ番号に相当するタイトル情報、２１０４は検索サーバ群２０７０に含まれる検索サーバのうち、代表的な検索サーバのネットワークアドレスが抽出可能な検索サーバネットワークアドレス情報である。これらのメディア活用情報は、ＤＶＤ配布時には既に図２０で示したメディア活用情報記録領域２００１に記録済みである。尚ここで、代表的な検索サーバとはサーバ選択手段を持つ検索サーバのことである。また、本実施の形態においては説明上、検索サーバネットワークアドレス情報２１０４として、検索サーバ２０８０のネットワークアドレスが記録されているとする。
【０１５４】
図２２は本発明の第５の実施の形態の処理の流れを示すフローチャートである。
【０１５５】
図２３は動画に検索用のキーワードを付ける場合のデータ構造の例である。ＤＶＤに記録されている動画データそれぞれについて、フレーム番号の開始位置・終了位置と、その間の映像に関連するキーワードとの対応を示している。たとえば、Ａ００００１．ｍｐｇというデータ名を持つ動画については、フレーム番号００００からフレーム番号１５００の間には「たまねぎ」「にんじん」「牛テール」というキーワードが付与されており、同じ動画のフレーム番号１５０１からフレーム番号２０００の間には「レタス」「豆腐」「わかめ」「ごま」というキーワードが付与されていることを示している。
【０１５６】
図２４は前記検索サーバが階層構造をなす例を図示したものである。
【０１５７】
以下、図２０から図２４を用いて本発明の第５の実施の形態の動作を説明する。
【０１５８】
情報検索者は書店や通信販売等で電子料理ブックＤＶＤ２０００を購入する。
【０１５９】
以降、図２２のフローチャートに沿って説明する。なお、図２２においては角の丸い長方形で囲われた部分はフローチャートの開始・終了を示し、菱形で囲われた部分は判断を示し、長方形で囲われた部分は処理を示し、矢印は処理の流れを示している。
【０１６０】
まず、情報検索者は、電子料理ブックＤＶＤ２０００を情報検索クライアント２０１０のＤＶＤ駆動手段２０１３にセットし、入力手段２０１４を用いて、電子料理ブックＤＶＤ２０００の表示開始を中央制御手段２０１１に指示し、中央制御手段２０１１はＤＶＤ駆動手段２０１３を制御して、情報表示手段２０１６に電子料理ブックＤＶＤ２０００の内容を表示する。内容を表示している途中で情報検索者が内容に関連する情報検索を指示すると、開始２２００に示すように、情報検索・表示処理が開始される。ここで、検索対象の情報とは、情報表示手段２０１６に表示中の映像に関連する情報、この場合においてはその料理を作るのに必要な食材を販売しているスーパーマーケットや個人商店などの情報である。
【０１６１】
次に、ステップ２２０１に示すように、情報検索クライアント２０１０の中央制御手段２０１１は、電子料理ブックＤＶＤ２０００のメディア活用情報記録領域２００１に記録されているメディア活用情報２１００のうち、検索サーバネットワークアドレス情報２１０４を用いて、ネットワーク２０９９を介して検索サーバ２０８０と接続し、その際、情報検索クライアント２０１０の居住地域情報記憶手段２０１７に記憶されている情報検索者の居住地域に関する情報と、タイトル情報２１０１と、表示中の映像に付与されているキーワード群を引数として情報送受信手段２０１２を用いて検索サーバ２０８０に送信する。なお、本実施の形態においては説明上、検索サーバネットワークアドレス情報２１０４には検索サーバ２０８０のネットワークアドレスが記録されているとしたが、他の検索サーバとして、サーバ選択手段を持つ検索サーバのネットワークアドレスが記録されている場合にも、以降の動作は同様である。
【０１６２】
次に、ステップ２２０２に示すように、検索サーバ２０８０の中央制御手段２０８１は情報送受信手段２０８２を用いて情報検索クライアント２０１０から情報検索者の居住地域に関する情報と、タイトル情報２１０１と、情報検索クライアント２０１０の情報表示手段２０１６にて表示中の映像に付与されているキーワード群とを受信し、検索サーバ群２０７０に含まれる複数の検索サーバの中から、サーバ選択手段２０８４を用いて、居住地域に関する情報を元に最適な検索サーバＸを選択する。居住地域に関する情報としては、「東京都品川区東品川」といった地名をテキストで登録しておくことが考えられる。サーバ選択手段を持つ検索サーバには本サービスに係わるすべての検索サーバの情報が登録されており、検索サーバの選択に際しては、たとえば、情報検索者の居住地域に物理的に一番近いところに置かれている検索サーバを選択するなどの手法が考えられる。ここで、居住地域に関する情報を検索サーバの選択に利用するのは、実際に利用者が出向くのは居住地に近い情報提供サーバを運営するスーパーマーケットや個人商店になるためであり、また、通信料金の低減化をはかるためこれらの情報提供サーバも物理的に近いところにて運営される検索サーバに登録されることが多いと考えるためである。当然、遠隔地の検索サーバにおいて、情報検索者の居住している地域から物理的に近い情報提供サーバが登録されているという構成も考えられるが、その場合にも居住地域に関する情報を用いて判断することで検索サーバの選択を行うことになる。なお、本実施の形態の説明においては、Ｘとして検索サーバ２０８０自身が選択されたものとする。また、検索サーバ２０８０に登録されている情報提供サーバは、情報提供サーバ群２０２０のうち、情報提供サーバ２０３０、情報提供サーバ２０４０、情報提供サーバ２０５０であり、情報提供サーバ２０６０は登録されていないものとする。
【０１６３】
次に、判断２２０３に示すように、検索サーバ２０８０は検索サーバＸが検索サーバ２０８０自身であるかどうかを判断し、異なる場合にはステップ２２０４へ、等しい場合にはステップ２２０６に進む。本実施の形態においては説明上、検索サーバＸは検索サーバ２０８０と等しいとしたため、ステップ２２０６に進むが、異なる場合については次のようである。いまここで、検索サーバＸが検索サーバ２０８０と異なる場合には、ステップ２２０４に示すように、検索サーバ２０８０の中央制御手段２０８１は検索サーバＸのネットワークアドレスを情報送受信手段２０８２を用いて情報検索クライアント２０１０に送信する。次に、ステップ２２０５に示すように、情報検索クライアント２０１０の中央制御手段２０１１は情報送受信手段２０１２を用いて検索サーバＸのネットワークアドレスを受信し、検索サーバ２０８０とのネットワーク接続を切断し、新たに検索サーバＸに対してネットワーク２０９９を介してネットワーク接続し、その際、タイトル情報２１０１と、情報表示手段２０１６にて表示中の映像に付与されているキーワード群を引数として情報送受信手段２０１２を用いて検索サーバＸに送信する。以上が検索サーバＸが検索サーバ２０８０と異なる場合の動作である。
【０１６４】
次に、ステップ２２０６に示すように、検索サーバＸ、この場合においては検索サーバ２０８０が、タイトル情報２１０１を元に、検索サーバ２０８０に登録されている複数の情報提供サーバの中から、検索対象となる情報提供サーバを限定する。なお、本実施の形態においては説明上、検索サーバ２０８０には情報提供サーバ２０３０、情報提供サーバ２０４０、情報提供サーバ２０５０の三つが登録されており、検索サーバ２０８０はタイトル情報２１０１をもとに、検索対象とすべき情報提供サーバをさらに限定する。即ち、本実施の形態における情報検索サービスが様々な情報提供サービスをサポートするような場合には、情報提供サーバ群２０２０に含まれる情報提供サーバがすべて表示中の電子料理ブックＤＶＤ２０００に関する情報を提供できるとは限らず、その場合、タイトル情報２１０１から検索対象が食材情報であることが判明するため、食材情報を提供可能な情報提供サーバのみを検索対象と限定することが可能となる。ここで、情報提供サーバ２０３０と情報提供サーバ２０４０が食材情報を提供できる情報提供サーバ、情報提供サーバ２０５０が道路情報を提供できるサーバであるとすると、検索対象となるのは情報提供サーバ２０３０と情報提供サーバ２０４０の二つになる。
【０１６５】
次に、ステップ２２０７に示すように、検索サーバ２０８０の中央制御手段２０８１は、情報検索クライアント２０１０から渡された引数のうち、表示中の映像に付与されているキーワード群をもとに、サーバ検索手段２０８３を用いて情報検索者の求める情報の存在する情報提供サーバを検索する。ここで、図２３における動画データＡ００００１．ｍｐｇの第１０００フレームを表示中に利用者からメディア関連情報検索の指示がきたものとすると、キーワードとしては、「たまねぎ」「にんじん」「牛テール」の三つを用いることになる。検索サーバ２０８０のサーバ検索手段２０８３はこれら三つのキーワードを持つ情報提供サーバを検索し、その結果情報提供サーバ２０３０がすべてのキーワードを持っていたとすると、検索結果としては情報提供サーバ２０３０となる。
【０１６６】
次に、ステップ２２０８に示すように、検索サーバ２０８０の中央制御手段２０８１は情報送受信手段２０８２を用いて、情報提供サーバ２０３０のネットワークアドレスを情報検索クライアント２０１０に送信し、情報検索クライアント２０１０とのネットワーク接続を終了する。
【０１６７】
次に、ステップ２２０９に示すように、情報検索クライアント２０１０の中央制御手段２０１１は情報送受信手段２０１２を用いて情報提供サーバ２０３０のネットワークアドレスを受信し、情報提供サーバ２０３０とのネットワーク接続を自動的に開始し、メディア関連情報の提供を要求する。
【０１６８】
次に、ステップ２２１０に示すように、情報提供サーバ２０３０の中央制御手段２０３１は情報記憶手段２０３３により記憶してあるメディア関連情報の内容を情報送受信手段２０３２を用いて情報検索クライアント２０１０に送信する。
【０１６９】
次に、ステップ２２１１に示すように、情報検索クライアント２０１０の中央制御手段２０１１は情報送受信手段２０１２を用いてメディア関連情報を受信し、その内容を情報表示手段２０１６に表示する。この際、メディア関連情報を情報検索クライアント２０１０の情報記憶手段２０１５により一時的に記憶しておくことも当然可能である。
【０１７０】
以上の処理が終わったあと、処理は終了２２１２へ進み、情報検索クライアント２０１０は情報提供サーバ２０３０とのネットワーク接続を切断し、情報検索・表示処理が終了する。なお、ネットワーク接続を切断するタイミングであるが、メディア関連情報を受信した時点で切断してしまい、その後、メディア関連情報を表示してもいっこうにかまわない。また、情報検索者の意志に基づき、通信を終了せずに続けるということも当然あり得る。
【０１７１】
なお、図２２は基本的な流れを示すフローチャートであり、複数の情報提供サーバが検索された場合の処理に関しては記述していないが、複数の情報提供サーバからの関連情報を表示させることも可能である。この場合には、すべての情報提供サーバからの関連情報を一度に表示する手法、順々に表示する手法、最も関連の高いものから表示する手法など、さまざまな表示方法が考えられる。
【０１７２】
また、本実施の形態においては説明上、検索サーバ群２０７０に含まれる検索サーバはすべて同等のものであるとしたが、情報検索者の居住地域に関する情報を元に他の検索サーバを選択するサーバ選択手段をすべての検索サーバが持っておらず、代表的な一つの検索サーバのみ、あるいは地域ごとに設定される代表的な検索サーバのみが持っているような階層的な構成もありうる。図２４に示しているのは、この階層的な構成の例であり、最上位に存在する検索サーバＡは居住地域に関する情報を元に検索サーバＢ、検索サーバＣ、検索サーバＤの三つのうちから最適な検索サーバを選択するサーバ選択手段を有しており、さらに、検索サーバＤは、検索サーバＥ、検索サーバＦ、検索サーバＧの三つのうちから最適な検索サーバを選択するサーバ選択手段を有している。同時に、すべての検索サーバには検索可能な情報提供サーバ群も登録されている。図２４においては、検索サーバＡ、検索サーバＤ、検索サーバＧの三つのみに情報提供サーバが登録されている様子を描いてあるが、これは説明上の繁雑さを避けるために、他の検索サーバに登録されている情報提供サーバを記述しなかったためである。
【０１７３】
また、本実施の形態では検索サーバの選択を毎回行なうことになるが、いったん検索を行なって、どの検索サーバを選択するのが良いのかが判明した時点で情報検索クライアント２０１０の情報記憶手段２０１５にその検索サーバのネットワークアドレスを記憶させておくという手法も考えられる。この場合には、情報検索クライアント２０１０は、検索サーバネットワークアドレス情報２１０４ではなく、情報記憶手段２０１５に記憶されているネットワークアドレスを持つ検索サーバに対して、タイトル情報２１０１と表示中の映像に付与されているキーワード群を渡して情報検索を依頼することになる。また、本実施の形態では読み出し専用型のＤＶＤを用いて説明したが、書換え可能型のものを用いる場合には、最適な検索サーバのネットワークアドレスを電子料理ブックＤＶＤ２０００内の書き込み可能領域に記録しておくという手法も考えられる。
【０１７４】
また、検索サーバ内にシソーラスを設け、情報提供サーバの検索の際に利用するという手法も考えられる。この場合には情報の種類、たとえば食材情報、道路情報といった種類によって、適切なシソーラス体系がそれぞれ存在する可能性があるため、タイトル情報２１０１を用いて、適切なシソーラスを選択するといった手法も考えられる。また、シソーラスの選択においては、情報の種類以外に居住地域による体系も存在する可能性があるため、居住地域情報記憶手段２０１７に記憶されている居住地域に関する情報を用いて適切なシソーラスを選択するといった手法も考えられる。
【０１７５】
また、居住地域情報記憶手段２０１７に記憶されている居住地域に関する情報としては地名を示すテキストデータを例にあげたが、情報検索者の自宅の電話番号などを利用するといった手法も考えられる。
【０１７６】
また、検索サーバネットワークアドレス情報２１０４には一つの検索サーバのネットワークアドレスが記録されているものとしたが、複数の検索サーバのネットワークアドレスを記録しておき、情報検索クライアント２０１０が居住地域情報記憶手段２０１７に記憶されている居住地域に関する情報を用いて複数の検索サーバの中から最適な検索サーバを選択するといった手法も考えられる。この場合にも、先に述べたとおり、検索サーバの選択を毎回行なう必要はなく、最適なものが分かった時点で、情報検索クライアント２０１０の情報記憶手段２０１５に最適な検索サーバのネットワークアドレスを記憶させておいたり、あるいは書換え可能型ＤＶＤの場合には電子料理ブックＤＶＤ２０００内の書き込み可能領域に記録しておくことが可能である。
【０１７７】
また、居住地域情報記憶手段２０１７に記憶されている居住地域に関する情報を検索サーバの選択をする場合のみに用いたが、情報提供サーバの検索を行なう際に検索サーバが再度利用するといった手法も考えられる。これは、検索サーバがやや広い地域に対して一つ設定されている場合に、より精度の高い検索結果を得ようとする場合に有効である。
【０１７８】
また、キーワードが付与されるのは動画データであるとしたが、これは動画である必要はなく、電子料理ブックＤＶＤ２０００内の、情報検索者に表示されうるデータであれば、静止画やテキスト、グラフィックスなどの他のデータに付与されている場合にも同様の効果を得ることができる。
【０１７９】
また、情報検索者が指示した時点で該当するすべてのキーワード群を検索に用いたが、検索の前に事前に情報検索者に対してキーワード群を提示し、検索不要なキーワードを指示してもらうことにより、検索の精度を上げるといった手法も考えられる。さらに、常に不要なキーワードをあらかじめ情報検索クライアント２０１０の情報記憶手段２０１５に登録しておくことにより、不要なキーワードの指示を毎回行なうことなく検索を実行するといった手法も考えられる。また、書換え可能型のＤＶＤを用いる場合には、検索不要なキーワードを電子料理ブックＤＶＤ２０００内の書き込み可能領域に記録しておくことが可能である。
【０１８０】
また、情報検索者が指示したタイミングで検索を開始したが、情報検索者が電子料理ブックＤＶＤ２０００内の動画等のデータを表示させている間に、自動的に検索を開始し、検索結果の件数のみ、あるいは検索結果の一部、たとえばその食材を売っているスーパーマーケットや個人商店の名称や簡単な場所などをともに表示しておくといった手法も可能である。そして検索結果の一部として表示されたスーパーマーケットや個人商店などが地理的に遠いならばメディア関連情報の表示を要求しても意味がないので表示を行う必要はないといった判断は情報検索者の自由で、無意味な検索による時間的ロスや労力をなくすことができる。また、ここで自動的に検索を開始する際には、電子料理ブックＤＶＤ２０００の内容を表示し始めてから一定時間経過したのちに検索を開始する、あるいは電子料理ブックＤＶＤ２０００の製作者が特にお薦めの料理の作り方を表示するときにはいつも自動的に検索を行なう、などの手法が考えられる。
【０１８１】
また、本実施の形態では検索結果が返ってくる場合について述べたが、検索結果が０件であった場合には、情報検索クライアント２０１０が自動的に検索条件をゆるくして検索を再度実行することにより、少なくとも１件以上の結果が返ってくるように調節するといった手法も考えられる。
【０１８２】
また、検索操作の履歴管理については述べなかったが、本願発明の第２と第３の実施の形態で述べたように、メディア活用情報に発行番号情報を記録することによって履歴管理を行ない、不要なキーワードの検出や、検索条件の絞り込み、検索結果の表示方法のカスタマイズに利用するといった手法も考えられる。
【０１８３】
また、本実施の形態では可搬型メディアとしてＤＶＤ、メディア活用情報の記録領域としてＤＶＤ上のメディア活用情報記録領域を用いたが、可搬型メディアとしてフロッピー（登録商標）ディスクやＣＤ−ＲＯＭなどの他のメディアや、読み出し専用型のＤＶＤを用い、メディア活用情報の記録領域については、メディア本体の記録領域や読み出し専用型のＤＶＤの場合にはメディア活用情報記録領域を用いることも可能である。また、ネットワークとしてはＬＡＮ（ローカルエリアネットワーク）・ＷＡＮ（ワイドエリアネットワーク）・インターネット・衛星網などを用いて実装することが可能である。
【０１８４】
また、本実施の形態においては情報表示手段２０１６として、情報検索クライアント２０１０が表示を行うためのディスプレイなどとしたが、実際にはこれに限ったものでなく、例えばプリンタで印刷したり、任意の記憶媒体にダウンロードするといった方法も考えられる。なお、図２１において示すメディア活用情報の領域区分は論理的な区分であり、物理的な区分ではない。
【０１８５】
なお、実施の形態１乃至５（図３、６、１２、１７、２０）において、各（ウェブ）サーバ中の情報記憶手段３２３，６２３，１２２３，１７７３，２０３３が記憶する情報としては、そのウェブサーバが持っているホームページを生成するための情報などがあり、それにより使用しているメディアのメディア識別情報ごとにホームページの内容を変えることができる情報の一つである。
【０１８６】
以上のように、本実施の形態では、
情報検索クライアント２０１０が、情報検索者の居住地域情報を検索サーバ群２０７０中の代表検索サーバ２０８０へ送信し、代表検索サーバ２０８０は、その居住地域情報をもとに最適な検索サーバＸを検索し、その検索サーバＸは、使用メディア２０００中のデータに関連づけられている検索用のキーワードをもとに情報提供サーバとして適切な情報提供サーバを検索し、その情報適用サーバが、情報検索クライアント２０１０へメディア関連情報を提供することにより、
第４の実施の形態における効果に加え、地域に応じて分散された検索サーバに情報適用サーバを管理させることにより、検索の精度が更に向上させることができ、また、情報検索クライアントも代表検索サーバへ接続するだけで、最適な検索サーバの決定、その検索サーバによる最適な情報提供サーバの決定、並びにその情報提供サーバによる精度の高い検索及びメディア関連情報の提供がネットワークを混雑させることなくスムーズに行われるため、今日の複雑化したネットワーク時代において、情報検索者へ負担を一切かけることなく精度の高い情報提供をスムーズに行うことができ、その実用的効果は大きい。
【産業上の利用可能性】
【０１８７】
本発明は、大量に出版される電子計算機用の可搬型メディア内に記録されている情報を元にネットワーク上の情報を検索したり、また、ネットワーク上のアプリケーションからの指示によりメディア１枚毎の利用方法を変化させたりといった、可搬型メディアとネットワークを連携させたサービスの提供することができる。
【図面の簡単な説明】
【０１８８】
【図１】メディア活用情報の最小の構成図
【図２】メディア活用情報の最大の構成の例図
【図３】第１の実施の形態における情報提供システムの構成図
【図４】第１の実施の形態におけるメディア活用情報の例図
【図５】第１の実施の形態の動作を説明するフローチャート
【図６】第２の実施の形態における通信教育サービスの構成図
【図７】第２の実施の形態におけるメディア活用情報の例図
【図８】第２の実施の形態の動作を説明するフローチャート
【図９】第２の実施の形態における履歴管理の例図
【図１０】第２の実施の形態におけるスクリプトの例図
【図１１】第２の実施の形態におけるメディア活用情報の他の例図
【図１２】第３の実施の形態におけるカタログショッピングサービスの構成図
【図１３】第３の実施の形態におけるメディア活用情報の例図
【図１４】第３の実施の形態の動作を説明するフローチャート
【図１５】第３の実施の形態における利用者情報の例図
【図１６】第３の実施の形態におけるメディア活用情報の他の例図
【図１７】第４の実施の形態における情報検索サービスの構成図
【図１８】第４の実施の形態の動作を説明するフローチャート
【図１９】第４の実施の形態におけるキーワード付与方式の例図
【図２０】第５の実施の形態における情報検索サービスの構成図
【図２１】第５の実施の形態におけるメディア活用情報の例図
【図２２】第５の実施の形態の動作を説明するフローチャート
【図２３】第５の実施の形態におけるキーワード付与方式の例図
【図２４】第５の実施の形態における検索サーバの階層構造を説明する図
【符号の説明】
【０１８９】
２００    メディア活用情報
２０１    メディア識別情報
２０２    タイトル情報
２０３    発行番号情報
２０４    ネットワークアドレス情報
２０５    利用者情報
２０６    情報提供者連絡先情報
２０７    チェック領域
３００    レストランガイドＤＶＤ
３０１    メディア活用情報記録領域
３１０    レストランガイドクライアント
３１１    中央制御手段
３１２    情報送受信手段
３１３    ＤＶＤ駆動手段
３１４    入力手段
３１６    情報表示手段
３２０    レストランガイドサーバ
３２１    中央制御手段
３２２    情報送受信手段
３２３    情報記憶手段
３２４    表示対象表示方法情報生成手段
３２５    メディア関連情報生成手段
３３０    ネットワーク
【図１】
2006172447.tif 000003
【図２】
2006172447.tif 000004
【図３】
2006172447.tif 000005
【図４】
2006172447.tif 000006
【図５】
2006172447.tif 000007
【図６】
2006172447.tif 000008
【図７】
2006172447.tif 000009
【図８】
2006172447.tif 000010
【図９】
2006172447.tif 000011
【図１０】
2006172447.tif 000012
【図１１】
2006172447.tif 000013
【図１２】
2006172447.tif 000014
【図１３】
2006172447.tif 000015
【図１４】
2006172447.tif 000016
【図１５】
2006172447.tif 000017
【図１６】
2006172447.tif 000018
【図１７】
2006172447.tif 000019
【図１８】
2006172447.tif 000020
【図１９】
2006172447.tif 000021
【図２０】
2006172447.tif 000022
【図２１】
2006172447.tif 000023
【図２２】
2006172447.tif 000024
【図２３】
2006172447.tif 000025
【図２４】
2006172447.tif 000026